(57)【要約】【課題】無線通信システムにおける端末がチャネル状態情報（ＣＳＩ）を報告する方法及び装置に関する。【解決手段】端末は、基地局からＣＳＩと関連した構成情報を受信し、構成情報に基づいてＣＳＩを測定できる。以後、端末は、測定されたＣＳＩを基地局に報告するステップを含み、ＣＳＩは、第１パート及び第２パートから構成され、第１パートは、ランク指示子（ＲＩ）、チャネル品質指示子（ＣＱＩ）及び０でない振幅係数の数を表す指示子を含み、第２パートは、プリコーディング行列指示子（ＰＭＩ）を含む方法及び装置を提供できる。【選択図】図１
2020150558.tif 000002
【特許請求の範囲】
【請求項１】
無線通信システムにおける端末がチャネル状態情報（ＣＳＩ）を報告する方法であって、
基地局からＣＳＩと関連した構成情報を受信するステップと、
前記構成情報に基づいてＣＳＩを測定するステップと、 
前記測定されたＣＳＩを前記基地局に報告するステップと、を含むものの、
前記ＣＳＩは、第１パート及び第２パートから構成され、
前記第１パートは、ランク指示子（ＲＩ）、チャネル品質指示子（ＣＱＩ）及び０でない振幅係数の数を表す指示子を含み、
前記第２パートは、プリコーディング行列指示子（ＰＭＩ）を含む、方法。
【請求項２】
前記第２パートのペイロードの大きさは、前記第１パートによって決定される、請求項１に記載の方法。
【請求項３】
前記ＰＭＩのｂｉｔｗｉｄｔｈは、前記ランク指示子及び前記指示子に基づいて決定される、請求項２に記載の方法。
【請求項４】
前記ＣＳＩは、物理アップリンクデータチャネル（ＰＵＳＣＨ）上において転送され、
前記ＣＳＩの転送パワーは、前記第１パートのビット数が増加するにつれて増加される、請求項１に記載の方法。
【請求項５】
前記ランク指示子、前記チャネル品質指示子及び前記指示子は、前記第１パート内で各々別のフィールドを有して同じコーディング率でエンコードされる、請求項１に記載の方法。
【請求項６】
前記指示子は、階層別に独立的に指示される、請求項１に記載の方法。
【請求項７】
前記指示子のビット数は、上位階層シグナリングで指示されるコードブック構成パラメータであるＬが、線形結合基盤のコードブックで線形結合される基底ベクトルの数を表せば、以下の数式により前記階層別に構成される、請求項６に記載の方法。
2020150558.tif 000104
【請求項８】
前記第１パートは、前記第２パートよりさらに高いＣＳＩ優先順位を有し、
前記第１パート及び前記第２パートは、前記ＣＳＩ優先順位に応じて復調参照信号（ＤＭＲＳ）がマッピングされるシンボル以後のシンボルにマッピングされる、請求項１に記載の方法。
【請求項９】
前記第１パート及び前記第２パートは、前記ＤＭＲＳがマッピングされるシンボルのインデックスが増加する方向に順次にマッピングされる、請求項８に記載の方法。
【請求項１０】
前記第１パートがマッピングされるシンボルの数は、前記第１パートのビット数及び前記第２パートのビット数に基づいて決定される、請求項１に記載の方法。
【請求項１１】
前記第１パート及び前記第２パートは、各々互いに異なる変調順序及び／またはコーディング率に応じてエンコードされる、請求項１に記載の方法。
【請求項１２】
前記第１パートと前記第２パートは、互いに異なる転送パワーを介して転送され、前記第１パート及び／または前記第２パートの特定値は、繰り返し転送される、請求項１に記載の方法。
【請求項１３】
無線通信システムにおけるチャネル状態情報（ＣＳＩ）を報告する端末であって、
無線信号を送受信するためのＲＦモジュールと、
前記ＲＦモジュールを制御するプロセッサと、を含むものの、前記プロセッサは、
基地局からＣＳＩと関連した構成情報を受信し、
前記構成情報に基づいてＣＳＩを測定し、
前記測定されたＣＳＩを前記基地局に報告するものの、
前記ＣＳＩは、第１パート及び第２パートから構成され、
前記第１パートは、ランク指示子（ＲＩ）、チャネル品質指示子（ＣＱＩ）及び０でない振幅係数の数を表す指示子を含み、
前記第２パートは、プリコーディング行列指示子（ＰＭＩ）を含む端末。
【発明の詳細な説明】
【技術分野】
【０００１】
本発明は、無線通信システムに関し、さらに詳細に無線通信システムにおいてチャネル状態情報の送受信のためのエンコード及びマッピングのための方法及びこのための装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代の移動通信システムの要求条件は大きく、爆発的なデータトラフィックの収容、ユーザ当たり転送率の画期的な増加、大幅増加した連結デバイス個数の収容、非常に低い端対端遅延（Ｅｎｄ-ｔｏ-Ｅｎｄ  Ｌａｔｅｎｃｙ）、高エネルギー効率を支援できなければならない。そのために、二重連結性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ-ｂａｎｄ  Ｆｕｌｌ  Ｄｕｐｌｅｘ）、非直交多重接続（ＮＯＭＡ：Ｎｏｎ-Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）など、多様な技術が研究されている。
【発明の概要】
【発明が解決しようとする課題】
【０００４】
本発明は、無線通信システムにおけるＣＳＩ（Ｃｈａｎｎｅｌ  Ｓｔａｔｕｓ  Ｉｎｆｏｒｍａｔｉｏｎ）-ＲＳ（Ｒｅｆｅｒｅｎｃｅ  ｓｉｇｎａｌ）を送受信するためのエンコード及びマッピング方法及び装置を提供するのにその目的がある。
【０００５】
また、本発明は、無線通信システムにおいてコードブックの構成方式に従ってＣＳＩをフィードバック（ｆｅｅｄｂａｃｋ）する場合、フィードバックコンテンツを構成する方式を提供するのにその目的がある。
【０００６】
また、本発明は、ＣＳＩの構成方式に従ってＣＳＩを転送するための転送パワーを決定する方法を提供するのにその目的がある。
【０００７】
また、本発明は、ＣＳＩの優先順位に応じてデータを復調するための復調参照信号（Ｄｅｍｏｄｕｌａｔｉｏｎ  Ｒｅｆｅｒｅｎｃｅ  ｓｉｇｎａｌ：ＤＭＲＳ）がマッピングされるシンボルに基づいてＣＳＩをマッピングする方法を提供するのにその目的がある。
【０００８】
本発明で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【０００９】
上述した技術的課題を解決するために、本発明の実施の形態による無線通信システムにおける端末がチャネル状態情報（Ｃｈａｎｎｅｌ  Ｓｔａｔｅ  Ｉｎｆｏｒｍａｔｉｏｎ：ＣＳＩ）を報告する方法は、基地局からＣＳＩと関連した構成情報を受信し、前記構成情報に基づいてＣＳＩを測定し、前記測定されたＣＳＩを前記基地局に報告するものの、前記ＣＳＩは、第１パート及び第２パートから構成され、前記第１パートは、ランク指示子（Ｒａｎｋ  ｉｎｄｉｃａｔｏｒ：ＲＩ）、チャネル品質指示子（ｃｈａｎｎｅｌ  ｑｕａｌｉｔｙ  ｉｎｄｉｃａｔｏｒ：ＣＱＩ）及び０でない振幅係数の数を表す指示子を含み、前記第２パートは、プリコーディング行列指示子（Ｐｒｅｃｏｄｉｎｇ  ｍａｔｒｉｘ  ｉｎｄｉｃａｔｏｒ：ＰＭＩ）を含む。
【００１０】
また、本発明において、前記第２パートのペイロードの大きさは、前記第１パートによって決定される。
【００１１】
また、本発明において、前記ＰＭＩのｂｉｔｗｉｄｔｈは、前記ランク指示子及び前記指示子に基づいて決定される。
【００１２】
また、本発明において、前記ＣＳＩは、物理アップリンクデータチャネル（Ｐｈｙｓｉｃａｌ  Ｕｐｌｉｎｋ  Ｓｈａｒｅｄ  Ｃｈａｎｎｅｌ：ＰＵＳＣＨ）上において転送され、前記ＣＳＩの転送パワーは、前記第１パートのビット数が増加するにつれて増加される。
【００１３】
また、本発明において、前記ランク指示子、前記チャネル品質指示子及び前記指示子は、前記第１パート内で各々別のフィールドを有して同じコーディング率（ｃｏｄｉｎｇ  ｒａｔｅ）でエンコード（ｅｎｃｏｄｉｎｇ）される。
【００１４】
また、本発明において、前記指示子は、階層（ｌａｙｅｒ）別に独立的に指示される。
【００１５】
また、本発明において、前記指示子のビット数は、上位階層シグナリングで指示されるコードブック構成パラメータであるＬが、線形結合基盤のコードブックで線形結合される基底ベクトルの数を表せば、以下の数式により前記階層別に構成される。
2020150558.tif 000003
【００１６】
また、本発明において、前記第１パートは、前記第２パートよりさらに高いＣＳＩ優先順位を有し、前記第１パート及び前記第２パートは、前記ＣＳＩ優先順位に応じて復調参照信号（Ｄｅｍｏｄｕｌａｔｉｏｎ  Ｒｅｆｅｒｅｎｃｅ  ｓｉｇｎａｌ：ＤＭＲＳ）がマッピングされるシンボル以後のシンボルにマッピングされる。
【００１７】
また、本発明において、前記第１パート及び前記第２パートは、前記ＤＭＲＳがマッピングされるシンボルのインデックスが増加する方向に順次にマッピングされる。
【００１８】
また、本発明において、前記第１パートがマッピングされるシンボルの数は、前記第１パートのビット数及び前記第２パートのビット数に基づいて決定される。
【００１９】
また、本発明において、前記第１パート及び前記第２パートは、各々互いに異なる変調順序（ｍｏｄｕｌａｔｉｏｎ  ｏｒｄｅｒ）及び／またはコーディング率（ｃｏｄｉｎｇ  ｒａｔｅ）に応じてエンコードされる。
【００２０】
また、本発明において、前記第１パートと前記第２パートは、互いに異なる転送パワーを介して転送され、前記第１パート及び／または前記第２パートの特定値は、繰り返し転送される。
【００２１】
また、本発明は、無線信号を送受信するためのＲＦ（Ｒａｄｉｏ  Ｆｒｅｑｕｅｎｃｙ）モジュールと、前記ＲＦモジュールを制御するプロセッサとを含むものの、前記プロセッサは、基地局からＣＳＩと関連した構成情報を受信し、前記構成情報に基づいてＣＳＩを測定し、前記測定されたＣＳＩを前記基地局に報告するものの、前記ＣＳＩは、第１パート及び第２パートから構成され、前記第１パートは、ランク指示子（Ｒａｎｋ  ｉｎｄｉｃａｔｏｒ：ＲＩ）、チャネル品質指示子（ｃｈａｎｎｅｌ  ｑｕａｌｉｔｙ  ｉｎｄｉｃａｔｏｒ：ＣＱＩ）及び０でない振幅係数の数を表す指示子を含み、前記第２パートは、プリコーディング行列指示子（Ｐｒｅｃｏｄｉｎｇ  ｍａｔｒｉｘ  ｉｎｄｉｃａｔｏｒ：ＰＭＩ）を含む端末を提供する。
【発明の効果】
【００２２】
本発明の一実施の形態によれば、ＣＳＩの構成方式に従ってＣＳＩのペイロードの大きさを決定できるから、ＣＳＩのペイロードの大きさを最適化できる。
【００２３】
また、本発明の一実施の形態によれば、優先順位によってＣＳＩをＤＭＲＳの次のシンボルにマッピングさせることによって、重要度の高いＣＳＩを優先してデコードできる。
【００２４】
また、本発明の一実施の形態によれば、重要度の高いＣＳＩを優先してデコードすることによって、端末にＤＬ  Ｇａｎｔを效率的に割り当てることができる。
【００２５】
本発明で得ることができる効果は、以上で言及した効果に制限されず、言及しない更に他の効果は以下の記載から本発明が属する技術分野で通常の知識を有する者に明確に理解できるはずである。
【図面の簡単な説明】
【００２６】
本発明に関する理解を助けるために詳細な説明の一部として含まれる添付図面は、本発明に対する実施形態を提供し、詳細な説明と共に本発明の技術的特徴を説明する。
【００２７】
【図１】本明細書で提案する方法が適用できるＮＲの全体的なシステム構造の一例を示した図である。
【図２】本明細書で提案する方法が適用できる無線通信システムにおけるアップリンクフレームとダウンリンクフレームとの間の関係を示す。
【図３】本明細書で提案する方法が適用できる無線通信システムで支援する資源グリッド（ｒｅｓｏｕｒｃｅ  ｇｒｉｄ）の一例を示す。
【図４】本明細書で提案する方法が適用されることができる無線通信システムにおける自己完備（Ｓｅｌｆ-ｃｏｎｔａｉｎｅｄ）サブフレーム構造を例示する図である。
【図５】本明細書で提案する方法が適用されることができる無線通信システムにおけるトランシーバーユニットモデルを例示する。
【図６】本明細書で提案する方法が適用されることができる無線通信システムにおけるＴＸＲＵ及び物理的アンテナ観点でハイブリッドビームフォーミング構造を図式化した図である。
【図７】本明細書で提案する方法が適用されることができるビームスウィーピング（ｂｅａｍ  ｓｗｅｅｐｉｎｇ）動作の一例を示す図である。
【図８】本明細書で提案する方法が適用されることができるアンテナ整列（Ａｎｔｅｎｎａ  ａｒｒａｙ）の一例を示す図である。
【図９】本明細書で提案する方法が適用されることができるＣＳＩ関連手順の一例を示すフローチャートである。
【図１０】本明細書で提案するＣＳＩエンコード方法の一例を示す図である。
【図１１】本明細書で提案するＣＳＩ報告方法の一例を示すフローチャートである。
【図１２】本明細書で提案する方法が適用されることができる無線通信装置のブロック構成図を例示する。
【図１３】本発明の一実施の形態による通信装置のブロック構成図を例示する。
【図１４】本明細書で提案する方法が適用されることができる無線通信装置のＲＦモジュールの一例を示した図である。
【図１５】本明細書で提案する方法が適用されることができる無線通信装置のＲＦモジュールのさらに他の一例を示した図である。
【発明を実施するための形態】
【００２８】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は本発明がこのような具体的な細部事項無しでも実施できることが分かる。
【００２９】
幾つかの場合、本発明の概念が曖昧になることを避けるために公知の構造及び装置は省略されるか、または各構造及び装置の核心機能を中心としたブロック図形式に図示できる。
【００３０】
本明細書で、基地局は端末と直接的に通信を遂行するネットワークの終端ノード（ｔｅｒｍｉｎａｌ  ｎｏｄｅ）としての意味を有する。本文書で、基地局により遂行されるものとして説明された特定動作は、場合によっては、基地局の上位ノード（ｕｐｐｅｒ  ｎｏｄｅ）により遂行されることもできる。即ち、基地局を含む多数のネットワークノード（ｎｅｔｗｏｒｋ  ｎｏｄｅｓ）からなるネットワークで、端末との通信のために遂行される多様な動作は基地局または基地局の以外の他のネットワークノードにより遂行できることは自明である。‘基地局（ＢＳ：Ｂａｓｅ  Ｓｔａｔｉｏｎ）’は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）、ｇＮＢ（ｇｅｎｅｒａｌ  ＮＢ）などの用語により取替できる。また、‘端末（Ｔｅｒｍｉｎａｌ）’は固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に取替できる。
【００３１】
以下、ダウンリンク（ＤＬ：ｄｏｗｎｌｉｎｋ）は基地局から端末への通信を意味し、アップリンク（ＵＬ：ｕｐｌｉｎｋ）は端末から基地局への通信を意味する。ダウンリンクで、送信機は基地局の一部であり、受信機は端末の一部でありうる。アップリンクで、送信機は端末の一部であり、受信機は基地局の一部でありうる。
【００３２】
以下の説明で使われる特定用語は本発明の理解を助けるために提供されたものであり、このような特定用語の使用は本発明の技術的思想を逸脱しない範囲で異なる形態に変更できる。
【００３３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌｍｕｌｔｉｐｌｅａｃｃｅｓｓ）などの多様な無線接続システムに利用できる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現できる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現できる。ＯＦＤＭＡは、ＩＥＥＥ  ８０２．１１（ＷｉＦｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などの無線技術で具現できる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であって、ダウンリンクでＯＦＤＭＡを採用し、アップリンクでＳＣ−ＦＤＭＡを採用する。ＬＴＥ−Ａ（ａｄｖａｎｃｅｄ）は３ＧＰＰ  ＬＴＥの進化である。
【００３４】
本発明の実施形態は無線接続システムであるＩＥＥＥ  ８０２、３ＧＰＰ、及び３ＧＰＰ２のうち、少なくとも１つに開示された標準文書により裏付けられる。即ち、本発明の実施形態のうち、本発明の技術的思想を明確に示すために説明しないステップまたは部分は前記文書により裏付けられる。また、本文書で開示している全ての用語は前記標準文書により説明できる。
【００３５】
説明を明確にするために、３ＧＰＰ  ＬＴＥ／ＬＴＥ，  ＮＲ（Ｎｅｗ  ＲＡＴ）を中心として技術するが、本発明の技術的特徴がこれに制限されるものではない。
【００３６】
用語の定義
【００３７】
ｅＬＴＥ  ｅＮＢ：ｅＬＴＥ  ｅＮＢは、ＥＰＣ（Ｅｖｏｌｖｅｄ  Ｐａｃｋｅｔ  Ｃｏｒｅ）及びＮＧＣ（Ｎｅｘｔ  Ｇｅｎｅｒａｔｉｏｎ  Ｃｏｒｅ）に対する連結を支援するｅＮＢの進化（ｅｖｏｌｕｔｉｏｎ）である。
【００３８】
ｇＮＢ：ＮＧＣとの連結だけでなく、ＮＲを支援するノード。
【００３９】
新たなＲＡＮ：ＮＲまたはＥ−ＵＴＲＡを支援するか、またはＮＧＣと相互作用する無線アクセスネットワーク。
【００４０】
ネットワークスライス（ｎｅｔｗｏｒｋ  ｓｌｉｃｅ）：ネットワークスライスは、終端間の範囲と共に特定要求事項を要求する特定市場シナリオに対して最適化されたソリューションを提供するようにｏｐｅｒａｔｏｒにより定義されたネットワーク。
【００４１】
ネットワーク機能（ｎｅｔｗｏｒｋ  ｆｕｎｃｔｉｏｎ）：ネットワーク機能は、よく定義された外部インターフェースとよく定義された機能的動作を有するネットワークインフラ内での論理的ノード。
【００４２】
ＮＧ−Ｃ：新たなＲＡＮとＮＧＣとの間のＮＧ２レファレンスポイント（ｒｅｆｅｒｅｎｃｅ  ｐｏｉｎｔ）に使われる制御平面インターフェース。
【００４３】
ＮＧ−Ｕ：新たなＲＡＮとＮＧＣとの間のＮＧ３レファレンスポイント（ｒｅｆｅｒｅｎｃｅ  ｐｏｉｎｔ）に使われるユーザ平面インターフェース。
【００４４】
非独立型（Ｎｏｎ−ｓｔａｎｄａｌｏｎｅ）ＮＲ：ｇＮＢがＬＴＥ  ｅＮＢをＥＰＣに制御プレーン連結のためのアンカーとして要求するか、または  ｅＬＴＥｅＮＢをＮＧＣに制御プレーン連結のためのアンカーとして要求する配置構成。
【００４５】
非独立型Ｅ−ＵＴＲＡ：ｅＬＴＥ  ｅＮＢがＮＧＣに制御プレーン連結のためのアンカーとしてｇＮＢを要求する配置構成。
【００４６】
ユーザ平面ゲートウェイ：ＮＧ−Ｕインターフェースの終端点。
【００４７】
システム一般
【００４８】
図１は、本明細書で提案する方法が適用できるＮＲの全体的なシステム構造の一例を示した図である。
【００４９】
図１を参照すると、ＮＧ−ＲＡＮはＮＧ−ＲＡユーザ平面（新たなＡＳ  ｓｕｂｌａｙｅｒ／ＰＤＣＰ／ＲＬＣ／ＭＡＣ／ＰＨＹ）及びＵＥ（Ｕｓｅｒ  Ｅｑｕｉｐｍｅｎｔ）に対する制御平面（ＲＲＣ）プロトコル終端を提供するｇＮＢで構成される。
【００５０】
前記ｇＮＢは、Ｘｎインターフェースを通じて相互連結される。
【００５１】
また、前記ｇＮＢは、ＮＧインターフェースを通じてＮＧＣに連結される。
【００５２】
より具体的には、前記ｇＮＢはＮ２インターフェースを通じてＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）に、Ｎ３インターフェースを通じてＵＰＦ（Ｕｓｅｒ  Ｐｌａｎｅ  Ｆｕｎｃｔｉｏｎ）に連結される。
【００５３】
ＮＲヌメロロジー（Ｎｕｍｅｒｏｌｏｇｙ）及びフレーム（ｆｒａｍｅ）構造
【００５４】
ＮＲシステムでは、多数のヌメロロジー（ｎｕｍｅｒｏｌｏｇｙ）が支援できる。ここで、ヌメロロジーはサブキャリア間隔（ｓｕｂｃａｒｒｉｅｒ  ｓｐａｃｉｎｇ）とＣＰ（Ｃｙｃｌｉｃ  Ｐｒｅｆｉｘ）オーバーヘッドにより定義できる。この際、多数のサブキャリア間隔は基本サブキャリア間隔を整数Ｎ（または、μ）にスケーリング（ｓｃａｌｉｎｇ）することにより誘導できる。また、非常に高い搬送波周波数で非常に低いサブキャリア間隔を利用しないと仮定されても、用いられるヌメロロジーは周波数帯域と独立的に選択できる。
【００５５】
また、ＮＲシステムでは多数のヌメロロジーに従う多様なフレーム構造が支援できる。
【００５６】
以下、ＮＲシステムで考慮できるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）ヌメロロジー及びフレーム構造を説明する。
【００５７】
ＮＲシステムで支援される多数のＯＦＤＭヌメロロジーは、表１のように定義できる。
【００５８】
【表１】
2020150558.tif 000004
【００５９】
ＮＲシステムにおけるフレーム構造（ｆｒａｍｅｓｔｒｕｃｔｕｒｅ）と関連して、時間領域の多様なフィールドのサイズは
2020150558.tif 000005
の時間単位の倍数として表現される。ここで、
2020150558.tif 000006
であり、
2020150558.tif 000007
である。ダウンリンク（downlink）及びアップリンク（uplink）転送は
2020150558.tif 000008
の区間を有する無線フレーム（radio frame）で構成される。ここで、無線フレームは各々
2020150558.tif 000009
の区間を有する１０個のサブフレーム（subframe）で構成される。この場合、アップリンクに対する１セットのフレーム及びダウンリンクに対する１セットのフレームが存在することができる。
【００６０】
図２は、本明細書で提案する方法が適用できる無線通信システムにおけるアップリンクフレームとダウンリンクフレームとの間の関係を示す。
【００６１】
図２に示すように、端末（Ｕｓｅｒ  Ｅｑｕｉｐｍｅｎｔ、ＵＥ）からのアップリンクフレーム番号ｉの転送は、該当端末での該当ダウンリンクフレームの開始より
2020150558.tif 000010
以前に始めなければならない。
【００６２】
ヌメロロジーμに対して、スロット（ｓｌｏｔ）はサブフレーム内で
2020150558.tif 000011
の増加する順に番号が付けられて、無線フレーム内で
2020150558.tif 000012
の増加する順に番号が付けられる。１つのスロットは
2020150558.tif 000013
の連続するＯＦＤＭシンボルで構成され、
2020150558.tif 000014
は用いられるヌメロロジー及びスロット設定（ｓｌｏｔ  ｃｏｎｆｉｇｕｒａｔｉｏｎ）によって決定される。サブフレームでスロット
2020150558.tif 000015
の開始は同一サブフレームでＯＦＤＭシンボル
2020150558.tif 000016
の開始と時間的に整列される。
【００６３】
全ての端末が同時に送信及び受信できるものではなく、これはダウンリンクスロット（ｄｏｗｎｌｉｎｋ  ｓｌｏｔ）またはアップリンクスロット（ｕｐｌｉｎｋ  ｓｌｏｔ）の全てのＯＦＤＭシンボルが利用できないことを意味する。
【００６４】
表２はヌメロロジーμでの一般（ｎｏｒｍａｌ）ＣＰに対するスロット当たりＯＦＤＭシンボルの数を示し、表３はヌメロロジーμでの拡張（ｅｘｔｅｎｄｅｄ）ＣＰに対するスロット当たりＯＦＤＭシンボルの数を示す。
【００６５】
【表２】
2020150558.tif 000017
【００６６】
【表３】
2020150558.tif 000018
【００６７】
NR物理資源（NR Physical Resource）
【００６８】
ＮＲシステムにおける物理資源（ｐｈｙｓｉｃａｌ  ｒｅｓｏｕｒｃｅ）と関連して、アンテナポート（ａｎｔｅｎｎａ  ｐｏｒｔ）、資源グリッド（ｒｅｓｏｕｒｃｅ  ｇｒｉｄ）、資源要素（ｒｅｓｏｕｒｃｅ  ｅｌｅｍｅｎｔ）、資源ブロック（ｒｅｓｏｕｒｃｅ  ｂｌｏｃｋ）、キャリアパート（ｃａｒｒｉｅｒ  ｐａｒｔ）などが考慮できる。
【００６９】
以下、ＮＲシステムで考慮できる前記物理資源に対して具体的に説明する。
【００７０】
まず、アンテナポートと関連して、アンテナポートはアンテナポート上のシンボルが運搬されるチャンネルが同一なアンテナポート上の他のシンボルが運搬されるチャンネルから推論できるように定義される。１つのアンテナポート上のシンボルが運搬されるチャンネルの広範囲特性（ｌａｒｇｅ−ｓｃａｌｅ  ｐｒｏｐｅｒｔｙ）が他のアンテナポート上のシンボルが運搬されるチャンネルから類推できる場合、２つのアンテナポートはＱＣ／ＱＣＬ（ｑｕａｓｉｃｏ−ｌｏｃａｔｅｄまたはｑｕａｓｉ  ｃｏ−ｌｏｃａｔｉｏｎ）関係にいるということができる。ここで、前記広範囲特性は遅延拡散（Ｄｅｌａｙ  ｓｐｒｅａｄ）、ドップラー拡散（Ｄｏｐｐｌｅｒ  ｓｐｒｅａｄ）、周波数シフト（Ｆｒｅｑｕｅｎｃｙ  ｓｈｉｆｔ）、平均受信パワー（Ａｖｅｒａｇｅ  ｒｅｃｅｉｖｅｄ  ｐｏｗｅｒ）、受信タイミング（Ｒｅｃｅｉｖｅｄ  Ｔｉｍｉｎｇ）のうち、１つ以上を含む。
【００７１】
図３は、本明細書で提案する方法が適用できる無線通信システムで支援する資源グリッド（ｒｅｓｏｕｒｃｅ  ｇｒｉｄ）の一例を示す。
【００７２】
図３を参考すると、資源グリッドが周波数領域上に
2020150558.tif 000019
サブキャリアで構成され、１つのサブフレームが１４・２μＯＦＤＭシンボルで構成されることを例示的に記述するが、これに限定されるものではない。
【００７３】
ＮＲシステムにおいて、転送される信号（ｔｒａｎｓｍｉｔｔｅｄ  ｓｉｇｎａｌ）は
2020150558.tif 000020
サブキャリアで構成される１つまたはその以上の資源グリッド及び
2020150558.tif 000021
のＯＦＤＭシンボルにより説明される。ここで、
2020150558.tif 000022
である。前記
2020150558.tif 000023
は最大転送帯域幅を示し、これは、ヌメロロジーだけでなく、アップリンクとダウンリンクとの間にも変わることができる。
【００７４】
この場合、図３のように、ヌメロロジーμ及びアンテナポートｐ別に１つの資源グリッドが設定できる。
【００７５】
ヌメロロジーμ及びアンテナポートｐに対する資源グリッドの各要素は資源要素（ｒｅｓｏｕｒｃｅ  ｅｌｅｍｅｎｔ）と称され、インデックス対
2020150558.tif 000024
により固有的に識別される。ここで、
2020150558.tif 000025
は周波数領域上のインデックスであり、
2020150558.tif 000026
はサブフレーム内でシンボルの位置を称する。スロットで資源要素を称する時には、インデックス対
2020150558.tif 000027
が用いられる。ここで、
2020150558.tif 000028
である。
【００７６】
ヌメロロジーμ及びアンテナポートｐに対する資源要素
2020150558.tif 000029
は複素値（ｃｏｍｐｌｅｘ  ｖａｌｕｅ）
2020150558.tif 000030
に該当する。混同（ｃｏｎｆｕｓｉｏｎ）する危険がない場合、または特定アンテナポートまたはヌメロロジーが特定されない場合には、インデックスｐ及びμはドロップ（ｄｒｏｐ）されることができ、その結果、複素値は
2020150558.tif 000031
または
2020150558.tif 000032
になることができる。
【００７７】
また、物理資源ブロック（ｐｈｙｓｉｃａｌ  ｒｅｓｏｕｒｃｅ  ｂｌｏｃｋ）は周波数領域上の
2020150558.tif 000033
連続的なサブキャリアとして定義される。周波数領域上で、物理資源ブロックは０から
2020150558.tif 000034
まで番号が付けられる。この際、周波数領域上の物理資源ブロック番号（ｐｈｙｓｉｃａｌ  ｒｅｓｏｕｒｃｅ  ｂｌｏｃｋ  ｎｕｍｂｅｒ）
2020150558.tif 000035
と資源要素
2020150558.tif 000036
との間の関係は、数式１のように与えられる。
【００７８】
【数１】
2020150558.tif 000037
【００７９】
また、キャリアパート（ｃａｒｒｉｅｒ  ｐａｒｔ）と関連して、端末は資源グリッドのサブセット（ｓｕｂｓｅｔ）のみを用いて受信または転送するように設定できる。この際、端末が受信または転送するように設定された資源ブロックの集合（ｓｅｔ）は周波数領域上で０から
2020150558.tif 000038
まで番号が付けられる。
【００８０】
自己完備（Ｓｅｌｆ−ｃｏｎｔａｉｎｅｄ）サブフレーム構造
【００８１】
図４は、本発明が適用されることができる無線通信システムにおける自己完備（Ｓｅｌｆ−ｃｏｎｔａｉｎｅｄ）サブフレーム構造を例示する図である。
【００８２】
ＴＤＤシステムにおいてデータ転送レイテンシ（ｌａｔｅｎｃｙ）を最小化するために、５世代（５Ｇ：５ｇｅｎｅｒａｔｉｏｎ）  ｎｅｗ  ＲＡＴでは、図４のような自己完備（ｓｅｌｆ−ｃｏｎｔａｉｎｅｄ）サブフレーム構造を考慮している。
【００８３】
図４において斜線領域（シンボルインデックス０）は、ダウンリンク（ＤＬ）制御領域を示し、黒色部分（シンボルインデックス１３）は、アップリンク（ＵＬ）制御領域を示す。陰影表示のない領域は、ＤＬデータ転送のために使用されることもでき、またはＵＬデータ転送のために使用されることもできる。このような構造の特徴は、一個のサブフレーム内でＤＬ転送とＵＬ転送が順次に行われて、サブフレーム内でＤＬデータが転送され、ＵＬ  ＡＣＫ／ＮＡＣＫも受信されることができる。結果的に、データ転送エラー発生時にデータ再転送までかかる時間を減らすようになり、これによって最終データ伝達のｌａｔｅｎｃｙを最小化できる。
【００８４】
このようなｓｅｌｆ−ｃｏｎｔａｉｎｅｄサブフレーム構造において基地局とＵＥが送信モードから受信モードに転換過程または受信モードから送信モードに転換過程のための時間ギャップ（ｔｉｍｅ  ｇａｐ）が必要である。このためにｓｅｌｆ−ｃｏｎｔａｉｎｅｄサブフレーム構造においてＤＬからＵＬに転換される時点の一部ＯＦＤＭシンボルがガード区間（ＧＰ：Ｇｕａｒｄ  Ｐｅｒｉｏｄ）として設定されるようになる。
【００８５】
アナログビームフォーミング（Ａｎａｌｏｇ  ｂｅａｍｆｏｒｍｉｎｇ）
【００８６】
ミリメートル波（Ｍｉｌｌｉｍｅｔｅｒ  Ｗａｖｅ、ｍｍＷ）では、波長が短くなって同一面積に多数個のアンテナ要素（ａｎｔｅｎｎａ  ｅｌｅｍｅｎｔ）の設置が可能である。すなわち、３０ＧＨｚ帯域における波長は１ｃｍで、４Ｘ４（４  ｂｙ  ４）ｃｍのパネル（ｐａｎｅｌ）に０．５ラムダ（ｌａｍｂｄａ）（すなわち、波長）間隔で２−次元配列形態で総６４（８ｘ８）のａｎｔｅｎｎａ  ｅｌｅｍｅｎｔ設置が可能である。したがって、ｍｍＷでは、多数個のａｎｔｅｎｎａ  ｅｌｅｍｅｎｔを使用してビームフォーミング（ＢＦ：ｂｅａｍｆｏｒｍｉｎｇ）利得を高めて、カバレッジを増加させるか、またはスループット（ｔｈｒｏｕｇｈｐｕｔ）を高めようとする。
【００８７】
この場合に、ａｎｔｅｎｎａ  ｅｌｅｍｅｎｔ別に転送パワー及び位相調節が可能なようにトランシバユニット（ＴＸＲＵ：Ｔｒａｎｓｃｅｉｖｅｒ  ｕｎｉｔ）を有すると、周波数資源別に独立的なビームフォーミングが可能である。しかしながら、１００余個のａｎｔｅｎｎａ  ｅｌｅｍｅｎｔ全部にＴＸＲＵを設置するには、価格側面で実效性が落ちるという問題を有するようになる。したがって、一つのＴＸＲＵに多数個のａｎｔｅｎｎａ  ｅｌｅｍｅｎｔをマッピングし、アナログ位相シフター（ａｎａｌｏｇ  ｐｈａｓｅ  ｓｈｉｆｔｅｒ）でビーム（ｂｅａｍ）の方向を調節する方式が考慮されている。このようなａｎａｌｏｇ  ＢＦ方式は、全帯域において一つのｂｅａｍ方向だけを作ることができるから、周波数選択的ＢＦができないという短所がある。
【００８８】
デジタル（Ｄｉｇｉｔａｌ）ＢＦとａｎａｌｏｇ  ＢＦの中間形態にＱ個のａｎｔｅｎｎａ  ｅｌｅｍｅｎｔより少ない個数であるＢ個のＴＸＲＵを有するハイブリッドビームフォーミング（ｈｙｂｒｉｄ  ＢＦ）を考慮することができる。この場合に、Ｂ個のＴＸＲＵとＱ個のａｎｔｅｎｎａ  ｅｌｅｍｅｎｔの接続方式によって差はあるが、同時に転送できるｂｅａｍの方向は、Ｂ個以下に制限されるようになる。
【００８９】
以下、図を参照して、ＴＸＲＵとａｎｔｅｎｎａ  ｅｌｅｍｅｎｔとの接続方式の代表的な一例を説明する。
【００９０】
図５は、本発明が適用されることができる無線通信システムにおけるトランシーバーユニットモデルを例示する。
【００９１】
ＴＸＲＵ仮像化（ｖｉｒｔｕａｌｉｚａｔｉｏｎ）モデルは、ＴＸＲＵの出力信号とａｎｔｅｎｎａ  ｅｌｅｍｅｎｔｓの出力信号の関係を示す。ａｎｔｅｎｎａ  ｅｌｅｍｅｎｔとＴＸＲＵとの相関関係に応じて、図５（ａ）のようにＴＸＲＵ仮像化（ｖｉｒｔｕａｌｉｚａｔｉｏｎ）モデルオプション−１：サブ−配列分割モデル（ｓｕｂ-ａｒｒａｙ  ｐａｒｔｉｔｉｏｎ  ｍｏｄｅｌ）と図５（ｂ）のようにＴＸＲＵ仮像化モデルオプション-２：全域接続（ｆｕｌｌ-ｃｏｎｎｅｃｔｉｏｎ）モデルに区分されることができる。
【００９２】
図５（ａ）を参照すると、サブ-配列分割モデル（ｓｕｂ-ａｒｒａｙ  ｐａｒｔｉｔｉｏｎ  ｍｏｄｅｌ）の場合、ａｎｔｅｎｎａ  ｅｌｅｍｅｎｔは、多重のアンテナ要素グループに分割され、各ＴＸＲＵは、グループのうち、一つに接続される。この場合に、ａｎｔｅｎｎａ  ｅｌｅｍｅｎｔは、一つのＴＸＲＵのみに接続される。
【００９３】
図５（ｂ）を参照すると、全域接続（ｆｕｌｌ-ｃｏｎｎｅｃｔｉｏｎ）モデルの場合、多重のＴＸＲＵの信号が結合されて、単一のアンテナ要素（またはアンテナ要素の配列）に伝達される。すなわち、ＴＸＲＵがすべてのアンテナｅｌｅｍｅｎｔに接続した方式を示す。この場合に、アンテナｅｌｅｍｅｎｔは、すべてのＴＸＲＵに接続される。
【００９４】
図５においてｑは一つの列（ｃｏｌｕｍｎ）内のＭ個の同じ偏波（ｃｏ-ｐｏｌａｒｉｚｅｄ）を有するアンテナ要素の転送信号ベクトルである。ｗは、広帯域ＴＸＲＵ仮像化加重値ベクトル（ｗｉｄｅｂａｎｄ  ＴＸＲＵ  ｖｉｒｔｕａｌｉｚａｔｉｏｎ  Ｗｅｉｇｈｔ  ｖｅｃｔｏｒ）であり、Ｗは、アナログ位相シフター（ａｎａｌｏｇ  ｐｈａｓｅ  ｓｈｉｆｔｅｒ）により乗算される位相ベクトルを示す。すなわちＷによりａｎａｌｏｇ  ｂｅａｍｆｏｒｍｉｎｇの方向が決定される。ｘは、Ｍ＿ＴＸＲＵ個のＴＸＲＵの信号ベクトルである。
【００９５】
ここで、アンテナポートとＴＸＲＵとのマッピングは、一対一（１-ｔｏ-１）または一対多（１-ｔｏ-ｍａｎｙ）でありうる。
【００９６】
図５においてＴＸＲＵとアンテナ要素との間のマッピング（ＴＸＲＵ-ｔｏ-ｅｌｅｍｅｎｔ  ｍａｐｐｉｎｇ）は、一つの例示に過ぎず、本発明がこれに限定されるものではなく、ハードウェア観点でその他に多様な形態で具現されることができるＴＸＲＵとアンテナ要素との間のマッピングにも、本発明が同様に適用されることができる。
【００９７】
また、Ｎｅｗ  ＲＡＴシステムでは、多数のアンテナが使用される場合、デジタルビームフォーミングとアナログビームフォーミングを結合したハイブリッドビームフォーミング技法が台頭されている。このとき、アナログビームフォーミング（または、ＲＦ（ｒａｄｉｏ  Ｆｒｅｑｕｅｎｃｙ）ビームフォーミング）は、ＲＦ端でプリコーディング（またはコンバイニング）を行う動作を意味する。ハイブリッドビームフォーミングにおいてベースバンド（Ｂａｓｅｂａｎｄ）端とＲＦ端とは、各々プリコーディング（またはコンバイニング）を行い、これによってＲＦチェーン数とＤ（ｄｉｇｉｔａｌ）／Ａ（ａｎａｌｏｇ）（または、Ａ／Ｄ）コンバーター数を減らしながらもデジタルビームフォーミングに近接した性能を出すことができるという長所がある。便宜上、ハイブリッドビームフォーミング構造は、Ｎ個トランシバユニット（ＴＸＲＵ）とＭ個の物理的アンテナで表現されることができる。すると、送信端から転送するＬ個データレイヤーに対するデジタルビームフォーミングは、Ｎ  ｂｙＬ  行列で表現されることができ、以後変換されたＮ個のデジタル信号は、ＴＸＲＵを経てアナログ信号に変換された後、Ｍ  ｂｙ  Ｎ行列で表現されるアナログビームフォーミングが適用される。
【００９８】
図６は、本発明が適用されることができる無線通信システムにおけるＴＸＲＵ及び物理的アンテナ観点でハイブリッドビームフォーミング構造を図式化した図である。
【００９９】
図６においてデジタルビームの個数は、Ｌ個であり、アナログビームの個数は、Ｎ個である場合を例示する。
【０１００】
Ｎｅｗ  ＲＡＴシステムでは、基地局がアナログビームフォーミングをシンボル単位に変更できるように設計して、特定地域に位置した端末により効率的なビームフォーミングを支援する方向が考慮されている。なお、図６において特定Ｎ個のＴＸＲＵとＭ個のＲＦアンテナを一つのアンテナパネル（ｐａｎｅｌ）として定義する時、Ｎｅｗ  ＲＡＴシステムでは、互いに独立的なハイブリッドビームフォーミングの適用が可能な複数のアンテナパネルを導入する方案まで考慮されている。
【０１０１】
チャネル状態情報（ＣＳＩ：Ｃｈａｎｎｅｌ  Ｓｔａｔｅ  Ｉｎｆｏｒｍａｔｉｏｎ）フィードバック
【０１０２】
３ＧＰＰ  ＬＴＥ／ＬＴＥ-Ａシステムでは、ユーザ機器（ＵＥ）がチャネル状態情報（ＣＳＩ）を基地局（ＢＳまたはｅＮＢ）に報告するよう定義された。
【０１０３】
ＣＳＩは、ＵＥとアンテナポートとの間に形成される無線チャネル（あるいはリンクともいう）の品質を表すことができる情報を通称する。例えば、ランク指示子（ＲＩ：Ｒａｎｋ  ｉｎｄｉｃａｔｏｒ）、プリコーディング行列指示子（ＰＭＩ：Ｐｒｅｃｏｄｉｎｇ  ｍａｔｒｉｘ  ｉｎｄｉｃａｔｏｒ）、チャネル品質指示子（ＣＱＩ：Ｃｈａｎｎｅｌ  ｑｕａｌｉｔｙ  ｉｎｄｉｃａｔｏｒ）などがこれに該当する。
【０１０４】
ここで、ＲＩは、チャネルのランク（ｒａｎｋ）情報を表し、これは、ＵＥが同一時間-周波数資源を介して受信するストリームの個数を意味する。この値は、チャネルの長い周期（ｌｏｎｇ  ｔｅｒｍ）フェージング（ｆａｄｉｎｇ）により従属して決定されるので、ＰＭＩ、ＣＱＩより一般により長い周期でＵＥからＢＳへフィードバックされる。ＰＭＩは、チャネル空間特性を反映した値であって、信号対干渉雑音比（ＳＩＮＲ：Ｓｉｇｎａｌ-ｔｏ-Ｉｎｔｅｒｆｅｒｅｎｃｅ-ｐｌｕｓ-Ｎｏｉｓｅ  Ｒａｔｉｏ）などのメトリック（ｍｅｔｒｉｃ）を基準にＵＥが好むプリコーディングインデックスを表す。ＣＱＩは、チャネルの強度を表す値であって、一般にＢＳがＰＭＩを利用した時に得ることのできる受信ＳＩＮＲを意味する。
【０１０５】
３ＧＰＰ  ＬＴＥ／ＬＴＥ-Ａシステムにおける基地局は、多数個のＣＳＩプロセス（ｐｒｏｃｅｓｓ）をＵＥに設定し、各プロセスに対するＣＳＩを報告されることができる。ここで、ＣＳＩプロセスは、基地局からの信号品質測定のためのＣＳＩ-ＲＳと干渉測定のためのＣＳＩ-干渉測定（ＣＳＩ-ＩＭ：ＣＳＩ-Ｉｎｔｅｒｆｅｒｅｎｃｅ  Ｍｅａｓｕｒｅｍｅｎｔ）資源から構成される。
【０１０６】
参照信号（ＲＳ：Ｒｅｆｅｒｅｎｃｅ  ｓｉｇｎａｌ）仮像化（ｖｉｒｔｕａｌｉｚａｔｉｏｎ）
【０１０７】
ｍｍＷにおいてａｎａｌｏｇ  ｂｅａｍｆｏｒｍｉｎｇにより一時点に一つのａｎａｌｏｇ  ｂｅａｍ方向だけにＰＤＳＣＨ転送されることができる。この場合、該当方向にある一部少数のＵＥだけに基地局からデータ転送が可能になる。したがって、必要によってアンテナポート別にａｎａｌｏｇ  ｂｅａｍ方向を異なるように設定することによって、複数のａｎａｌｏｇ  ｂｅａｍ方向にある多数のＵＥに同時にデータ転送が行われることができる。
【０１０８】
図７は、本明細書で提案する方法が適用されることができるビームスウィーピング（ｂｅａｍ  ｓｗｅｅｐｉｎｇ）動作の一例を示す図である。
【０１０９】
図６で説明したように、基地局が複数のアナログビームを使用する場合、端末別に信号受信に有利なアナログビームが異なりうるので、少なくとも同期信号（Ｓｙｎｃｈｒｏｎｉｚａｔｉｏｎ  ｓｉｇｎａｌ）、システム情報（Ｓｙｓｔｅｍ  ｉｎｆｏｒｍａｔｉｏｎ）、及びページング（Ｐａｇｉｎｇ）などに対しては、特定サブフレームにおいて基地局が適用しようとする複数のアナログビームをシンボルによって変えて、すべての端末が受信機会を有することができるようにするビームスウィーピング動作が考慮されている。
【０１１０】
図７は、ダウンリンク転送過程においてで同期信号及びシステム情報に対するビームスウィーピング動作の一例を示す。図７のＮｅｗ  ＲＡＴでシステム情報がブロードキャスティング方式で転送される物理的資源（または物理チャネル）をｘＰＢＣＨ（ｐｈｙｓｉｃａｌ  ｂｒｏａｄｃａｓｔ  ｃｈａｎｎｅｌ）と呼んだ。
【０１１１】
このとき、一シンボル内で互いに異なるアンテナパネルに属するアナログビームは、同時転送されることができ、アナログビームに応じるチャネルを測定するために、図７に示すように、（特定アンテナパネルに対応する）単一アナログビームが適用されて転送される参照信号であるビーム参照信号（Ｂｅａｍ  Ｒｅｆｅｒｅｎｃｅ  ｓｉｇｎａｌ：ＢＲＳ）を導入する方案が論議されている。
【０１１２】
前記ＢＲＳは、複数のアンテナポートに対して定義されることができ、ＢＲＳの各アンテナポートは、単一アナログビームに対応できる。
【０１１３】
このとき、ＢＲＳとは異なり、同期信号またはｘＰＢＣＨは、任意の端末によって転送される信号がよく受信されるように、アナログビームグループ内のすべてのアナログビームが適用されて転送されることができる。
【０１１４】
ＲＲＭ測定
【０１１５】
ＬＴＥシステムでは、電力制御、スケジューリング、セル検索、セル再選択、ハンドオーバ、無線リンクまたは接続モニタリング、接続確立／再-確立などを含むＲＲＭ動作を支援する。
【０１１６】
このとき、サービングセルは、端末にＲＲＭ動作を行うための測定値であるＲＲＭ測定（ＲＲＭ  ｍｅａｓｕｒｅｍｅｎｔ）情報を要請できる。
【０１１７】
例えば、端末は、各Ｃｅｌｌに対したセル検索情報、ＲＳＲＰ（ｒｅｆｅｒｅｎｃｅ  ｓｉｇｎａｌ  ｒｅｃｅｉｖｅｄ  ｐｏｗｅｒ）、ＲＳＲＱ（ｒｅｆｅｒｅｎｃｅ  ｓｉｇｎａｌ  ｒｅｃｅｉｖｅｄ  ｑｕａｌｉｔｙ）などの情報を測定して、基地局に報告できる。
【０１１８】
具体的に、ＬＴＥシステムにおいて端末は、サービングセルからＲＲＭ測定のための上位階層信号として「ｍｅａｓＣｏｎｆｉｇ」を伝達される。端末は、「ｍｅａｓＣｏｎｆｉｇ」に応じて、ＲＳＲＰまたはＲＳＲＱを測定する。
【０１１９】
ＲＳＲＰ、ＲＳＲＱ及びＲＳＳＩの定義は、以下のとおりである。
【０１２０】
-ＲＳＲＰ：ＲＳＲＰは、考慮された測定周波数帯域幅内でセル特定基準信号を伝達する資源要素の電力寄与度（［Ｗ］）に対した線形平均として定義されることができる。ＲＳＲＰ決定のために、セル特定レファレンス信号Ｒ０が使用されることができる。端末がＲ１が利用可能であるということを信頼性あるように検出できる場合、Ｒ０に追加してＲ１を使用してＲＳＲＰを決定できる。
【０１２１】
ＲＳＲＰの基準点（ｒｅｆｅｒｅｎｃｅ ｐｏｉｎｔ）は、端末のアンテナコネクターになることができる。
【０１２２】
受信機ダイバーシチ（ｄｉｖｅｒｓｉｔｙ）が端末により使用される場合、報告された値は、任意の個別ダイバーシチブランチの対応するＲＳＲＰより小さくはならない。
【０１２３】
-ＲＳＲＱ：基準信号受信品質（ＲＳＲＱ）は、割合Ｎ×ＲＳＲＰ／（Ｅ-ＵＴＲＡ搬送波ＲＳＳＩ）と定義され、Ｎは、Ｅ-ＵＴＲＡ搬送波ＲＳＳＩ測定帯域幅のＲＢ数である。分子と分母の測定は、同じ資源ブロック集合を介して行われなければならない。
【０１２４】
Ｅ-ＵＴＲＡ搬送波受信信号強度表示器（ＲＳＳＩ）は、アンテナポート０に対する参照シンボルを含むＯＦＤＭシンボルにおいてのみ測定された総受信電力（［Ｗ］）の線形平均と測定帯域幅でＮ個の資源隣接チャネル干渉、熱雑音などを含むすべてのソースからＵＥによりブロックにより受信される。
【０１２５】
上位階層シグナリングがＲＳＲＱ測定を行うための特定サブフレームを表す場合、ＲＳＳＩは、表示されたサブフレーム内のすべてのＯＦＤＭシンボルに対して測定される。
【０１２６】
ＲＳＲＱに対した基準点は、端末のアンテナコネクターにならなければならない。
【０１２７】
受信機ダイバーシチが端末により使用される場合、報告された値は、任意の個別ダイバーシチブランチの対応するＲＳＲＱより小さくてはならない。
【０１２８】
ＲＳＳＩ：ＲＳＳＩは、受信機パルス整形フィルタにより定義された帯域幅内で受信機から発生する熱雑音及び雑音を含んで受信された広帯域電力を意味する。
【０１２９】
ＲＳＳＩの測定のための基準点は、端末のアンテナコネクターにならなければならない。受信機ダイバーシチが端末により使用される場合、報告された値は、任意の個別受信アンテナブランチの対応するＵＴＲＡ搬送波ＲＳＳＩより小さくてはならない。
【０１３０】
このような定義によって、ＬＴＥシステムで動作する端末は、Ｉｎｔｒａ-ｆｒｅｑｕｅｎｃｙ  ｍｅａｓｕｒｅｍｅｎｔである場合、ＳＩＢ３（ｓｙｓｔｅｍ  ｉｎｆｏｒｍａｔｉｏｎ  ｂｌｏｃｋ  ｔｙｐｅ３）から転送されるＡｌｌｏｗｅｄ  ｍｅａｓｕｒｅｍｅｎｔ  ｂａｎｄｗｉｄｔｈ関連ＩＥ（ｉｎｆｏｒｍａｔｉｏｎ  ｅｌｅｍｅｎｔ）を介して、Ｉｎｔｅｒ-ｆｒｅｑｕｅｎｃｙ  ｍｅａｓｕｒｅｍｅｎｔである場合には、ＳＩＢ５から転送されるＡｌｌｏｗｅｄ  ｍｅａｓｕｒｅｍｅｎｔ  ｂａｎｄｗｉｄｔｈを介して６、１５、２５、５０、７５、１００ＲＢ（Ｒｅｓｏｕｒｃｅ  Ｂｌｏｃｋ）のうち、いずれか一つに対応するＢａｎｄｗｉｄｔｈでＲＳＲＰを測定するよう許容されることができる。
【０１３１】
または、上記のようなＩＥがない場合、Ｄｅｆａｕｌｔで全体ＤＬ（ｄｏｗｎｌｉｎｋ）システムの周波数帯域で測定が行われることができる。このとき、端末がＡｌｌｏｗｅｄ  ｍｅａｓｕｒｅｍｅｎｔ  ｂａｎｄｗｉｄｔｈを受信する場合、端末は、該当値をｍａｘｉｍｕｍ  ｍｅａｓｕｒｅｍｅｎｔ  ｂａｎｄｗｉｄｔｈと考え、該当値以内で自由にＲＳＲＰの値を測定できる。
【０１３２】
ただし、Ｓｅｒｖｉｎｇ  ＣｅｌｌがＷＢ-ＲＳＲＱと定義されるＩＥを転送し、Ａｌｌｏｗｅｄ  ｍｅａｓｕｒｅｍｅｎｔ  ｂａｎｄｗｉｄｔｈを５０ＲＢ以上に設定すると、端末は、全体Ａｌｌｏｗｅｄ  ｍｅａｓｕｒｅｍｅｎｔ  ｂａｎｄｗｉｄｔｈに対するＲＳＲＰ値を計算しなければならない。一方、ＲＳＳＩに対しては、ＲＳＳＩ  ｂａｎｄｗｉｄｔｈの定義に従って、端末の受信機が有する周波数帯域で測定が行われることができる。
【０１３３】
図８は、本明細書で提案する方法が適用されることができるアンテナ整列（Ａｎｔｅｎｎａ  ａｒｒａｙ）の一例を示す図である。
【０１３４】
図８において、一般化されたパネルアンテナ整列（ｐａｎｅｌａｎｔｅｎｎａ  ａｒｒａｙ）は、各々水平ドメイン（ｈｏｒｉｚｏｎｔａｌ  ｄｏｍａｉｎ）と垂直ドメイン（ｖｅｒｔｉｃａｌ  ｄｏｍａｉｎ）にＭｇ個、Ｎｇ個のパネルから構成されることができる。
【０１３５】
このとき、一つのパネルは、各々Ｍ個の列とＮ個の行から構成され、図８では、Ｘ-ｐｏｌアンテナが仮定された。したがって、総アンテナエレメントの個数は、２＊Ｍ＊Ｎ＊Ｍｇ＊Ｎｇ個から構成されることができる。
【０１３６】
ＣＳＩ関連手順（Ｃｈａｎｎｅｌ  Ｓｔａｔｅ  Ｉｎｆｏｒｍａｔｉｏｎ  ｒｅｌａｔｅｄ  Ｐｒｏｃｅｄｕｒｅ）
【０１３７】
図９は、本明細書で提案する方法が適用されることができるＣＳＩ関連手順の一例を示すフローチャートである。
【０１３８】
ＮＲ（Ｎｅｗ  Ｒａｄｉｏ）システムにおいて、ＣＳＩ-ＲＳ（Ｃｈａｎｎｅｌ  Ｓｔａｔｅ  Ｉｎｆｏｒｍａｔｉｏｎ-ｒｅｆｅｒｅｎｃｅ  ｓｉｇｎａｌ）は、時間及び／または周波数トラッキング（ｔｉｍｅ／ｆｒｅｑｕｅｎｃｙ  ｔｒａｃｋｉｎｇ）、ＣＳＩ計算（ｃｏｍｐｕｔａｔｉｏｎ）、Ｌ１（ｌａｙｅｒ１）-ＲＳＲＰ（ｒｅｆｅｒｅｎｃｅ  ｓｉｇｎａｌ  ｒｅｃｅｉｖｅｄ  ｐｏｗｅｒ）計算（ｃｏｍｐｕｔａｔｉｏｎ）及び移動性（ｍｏｂｉｌｉｔｙ）のために使用される。
【０１３９】
本明細書で使用される「Ａ及び／またはＢ」は、「ＡまたはＢのうち、少なくとも一つを含む」と同じ意味として解析できる。
【０１４０】
前記ＣＳＩ  ｃｏｍｐｕｔａｔｉｏｎは、ＣＳＩ獲得（ａｃｑｕｉｓｉｔｉｏｎ）と関連され、Ｌ１-ＲＳＲＰｃｏｍｐｕｔａｔｉｏｎは、ビーム管理（ｂｅａｍｍａｎａｇｅｍｅｎｔ、ＢＭ）と関連される。
【０１４１】
ＣＳＩ（Ｃｈａｎｎｅｌ  Ｓｔａｔｅ  Ｉｎｆｏｒｍａｔｉｏｎ）は、端末とアンテナポートとの間に形成される無線チャネル（あるいはリンクともいう）の品質を表すことができる情報を通称する。
【０１４２】
前記のようなＣＳＩ-ＲＳの用途のうち、一つを行うために、端末（例：ｕｓｅｒ  ｅｑｕｉｐｍｅｎｔ、ＵＥ）は、ＣＳＩと関連した設定（ｃｏｎｆｉｇｕｒａｔｉｏｎ）情報をＲＲＣ（ｒａｄｉｏ  ｒｅｓｏｕｒｃｅ  ｃｏｎｔｒｏｌ）ｓｉｇｎａｌｉｎｇを介して基地局（例：ｇｅｎｅｒａｌ  Ｎｏｄｅ  Ｂ、ｇＮＢ）から受信する（Ｓ９０１０）。
【０１４３】
前記ＣＳＩと関連したｃｏｎｆｉｇｕｒａｔｉｏｎ情報はＣＳＩ-ＩＭ（ｉｎｔｅｒｆｅｒｅｎｃｅ  ｍｅａｓｕｒｅｍｅｎｔ）資源（ｒｅｓｏｕｒｃｅ）関連情報、ＣＳＩ測定設定（ｍｅａｓｕｒｅｍｅｎｔ  ｃｏｎｆｉｇｕｒａｔｉｏｎ）関連情報、ＣＳＩ資源設定（ｒｅｓｏｕｒｃｅ  ｃｏｎｆｉｇｕｒａｔｉｏｎ）関連情報、ＣＳＩ-ＲＳ資源（ｒｅｓｏｕｒｃｅ）関連情報、またはＣＳＩ報告設定（ｒｅｐｏｒｔ  ｃｏｎｆｉｇｕｒａｔｉｏｎ）関連情報のうち、少なくとも１つを含むことができる。
【０１４４】
前記ＣＳＩ-ＩＭ資源関連情報は、ＣＳＩ-ＩＭ資源情報（ｒｅｓｏｕｒｃｅ  ｉｎｆｏｒｍａｔｉｏｎ）、ＣＳＩ-ＩＭ資源セット情報（ｒｅｓｏｕｒｃｅ  ｓｅｔ  ｉｎｆｏｒｍａｔｉｏｎ）などを含むことができる。
【０１４５】
ＣＳＩ-ＩＭ  ｒｅｓｏｕｒｃｅ  ｓｅｔはＣＳＩ-ＩＭ  ｒｅｓｏｕｒｃｅ  ｓｅｔ  ＩＤ（ｉｄｅｎｔｉｆｉｅｒ）により識別され、１つのｒｅｓｏｕｒｃｅ  ｓｅｔは少なくとも１つのＣＳＩ-ＩＭ  ｒｅｓｏｕｒｃｅを含む。
【０１４６】
各々のＣＳＩ-ＩＭ  ｒｅｓｏｕｒｃｅは、ＣＳＩ-ＩＭ  ｒｅｓｏｕｒｃｅＩＤにより識別される。
【０１４７】
前記ＣＳＩ  ｒｅｓｏｕｒｃｅ  ｃｏｎｆｉｇｕｒａｔｉｏｎ関連情報は、ＮＺＰ（ｎｏｎ  ｚｅｒｏ  ｐｏｗｅｒ）ＣＳＩ-ＲＳ  ｒｅｓｏｕｒｃｅ  ｓｅｔ、ＣＳＩ-ＩＭ  ｒｅｓｏｕｒｃｅ  ｓｅｔ、またはＣＳＩ-ＳＳＢ  ｒｅｓｏｕｒｃｅ  ｓｅｔのうち、少なくとも１つを含むグループを定義する。
【０１４８】
即ち、前記ＣＳＩ  ｒｅｓｏｕｒｃｅ  ｃｏｎｆｉｇｕｒａｔｉｏｎ関連情報はＣＳＩ-ＲＳ  ｒｅｓｏｕｒｃｅ  ｓｅｔ  ｌｉｓｔを含み、前記ＣＳＩ-ＲＳ  ｒｅｓｏｕｒｃｅ  ｓｅｔ  ｌｉｓｔはＮＺＰＣＳＩ-ＲＳ  ｒｅｓｏｕｒｃｅ  ｓｅｔ  ｌｉｓｔ、ＣＳＩ-ＩＭ  ｒｅｓｏｕｒｃｅ  ｓｅｔ  ｌｉｓｔ、またはＣＳＩ-ＳＳＢ  ｒｅｓｏｕｒｃｅ  ｓｅｔ  ｌｉｓｔのうち、少なくとも１つを含むことができる。
【０１４９】
前記ＣＳＩ  ｒｅｓｏｕｒｃｅ  ｃｏｎｆｉｇｕｒａｔｉｏｎ関連情報はＣＳＩ-Ｒｅｓｏｕｒｃｅ  Ｃｏｎｆｉｇ  ＩＥで表現できる。
【０１５０】
ＣＳＩ-ＲＳ  ｒｅｓｏｕｒｃｅ  ｓｅｔはＣＳＩ-ＲＳ  ｒｅｓｏｕｒｃｅ  ｓｅｔ  ＩＤにより識別され、１つのｒｅｓｏｕｒｃｅ  ｓｅｔは少なくとも１つのＣＳＩ-ＲＳ  ｒｅｓｏｕｒｃｅを含む。
【０１５１】
各々のＣＳＩ-ＲＳ  ｒｅｓｏｕｒｃｅは、ＣＳＩ-ＲＳ  ｒｅｓｏｕｒｃｅ  ＩＤにより識別される。
【０１５２】
表１のように、ＮＺＰ  ＣＳＩ-ＲＳ  ｒｅｓｏｕｒｃｅ  ｓｅｔ別にＣＳＩ-ＲＳの用途を示すｐａｒａｍｅｔｅｒ（例：ＢＭ関連‘ｒｅｐｅｔｉｔｉｏｎ’  ｐａｒａｍｅｔｅｒ、ｔｒａｃｋｉｎｇ関連‘ｔｒｓ-Ｉｎｆｏ’  ｐａｒａｍｅｔｅｒ）が設定できる。
【０１５３】
表４は、  ＮＺＰ  ＣＳＩ-ＲＳ  ｒｅｓｏｕｒｃｅ  ｓｅｔ  ＩＥの一例を示す。
【０１５４】
【表４】
2020150558.tif 000039
【０１５５】
表４で、ｒｅｐｅｔｉｔｉｏｎ  ｐａｒａｍｅｔｅｒは同一なｂｅａｍの反復転送有無を示すｐａｒａｍｅｔｅｒであって、ＮＺＰ  ＣＳＩ-ＲＳ  ｒｅｓｏｕｒｃｅ  ｓｅｔ別にｒｅｐｅｔｉｔｉｏｎが‘ＯＮ’または‘ＯＦＦ’なのかを指示する。
【０１５６】
本明細書で使われる転送ビーム（Ｔｘ  ｂｅａｍ）は、ｓｐａｔｉａｌ  ｄｏｍａｉｎ  ｔｒａｎｓｍｉｓｓｉｏｎ  ｆｉｌｔｅｒと、受信ビーム（Ｒｘ  ｂｅａｍ）はｓｐａｔｉａｌ  ｄｏｍａｉｎ  ｒｅｃｅｐｔｉｏｎ  ｆｉｌｔｅｒと同一な意味として解釈できる。
【０１５７】
例えば、表４のｒｅｐｅｔｉｔｉｏｎ  ｐａｒａｍｅｔｅｒが‘ＯＦＦ’に設定された場合、端末はｒｅｓｏｕｒｃｅ  ｓｅｔ内のＮＺＰ  ＣＳＩ-ＲＳ  ｒｅｓｏｕｒｃｅが全てのシンボルで同一なＤＬ  ｓｐａｔｉａｌ  ｄｏｍａｉｎ  ｔｒａｎｓｍｉｓｓｉｏｎ  ｆｉｌｔｅｒと同一なＮｒｏｆｐｏｒｔｓに転送されると仮定しない。
【０１５８】
そして、ｈｉｇｈｅｒ  ｌａｙｅｒ  ｐａｒａｍｅｔｅｒに該当するｒｅｐｅｔｉｔｉｏｎ  ｐａｒａｍｅｔｅｒはＬ１  ｐａｒａｍｅｔｅｒの‘ＣＳＩ-ＲＳ-Ｒｅｓｏｕｒｃｅ  Ｒｅｐ’に対応する。
【０１５９】
前記ＣＳＩ報告設定（ｒｅｐｏｒｔ  ｃｏｎｆｉｇｕｒａｔｉｏｎ）関連情報は時間領域行動（ｔｉｍｅ  ｄｏｍａｉｎ  ｂｅｈａｖｉｏｒ）を示す報告設定タイプ（ｒｅｐｏｒｔＣｏｎｆｉｇＴｙｐｅ）ｐａｒａｍｅｔｅｒ及び報告するためのＣＳＩ関連ｑｕａｎｔｉｔｙを示す報告量（ｒｅｐｏｒｔ  Ｑｕａｎｔｉｔｙ）ｐａｒａｍｅｔｅｒを含む。
【０１６０】
前記時間領域行動（ｔｉｍｅ  ｄｏｍａｉｎ  ｂｅｈａｖｉｏｒ）はｐｅｒｉｏｄｉｃ、ａｐｅｒｉｏｄｉｃ、またはｓｅｍｉ-ｐｅｒｓｉｓｔｅｎｔでありうる。
【０１６１】
そして、前記ＣＳＩ  ｒｅｐｏｒｔ  ｃｏｎｆｉｇｕｒａｔｉｏｎ関連情報はＣＳＩ-ＲｅｐｏｒｔＣｏｎｆｉｇ  ＩＥで表現されることができ、以下の表５はＣＳＩ-ＲｅｐｏｒｔＣｏｎｆｉｇ  ＩＥの一例を示す。
【０１６２】
【表５−１】
2020150558.tif 000040
【０１６３】
【表５−２】
2020150558.tif 000041
【０１６４】
そして、前記端末は前記ＣＳＩと関連したｃｏｎｆｉｇｕｒａｔｉｏｎ情報に基づいてＣＳＩを測定（ｍｅａｓｕｒｅｍｅｎｔ）する（Ｓ９０２０）。
【０１６５】
前記ＣＳＩ測定は、（１）端末のＣＳＩ-ＲＳ受信過程（Ｓ９０２２）と、（２）受信されたＣＳＩ-ＲＳによりＣＳＩを計算（ｃｏｍｐｕｔａｔｉｏｎ）する過程（Ｓ９０２４）を含むことができる。
【０１６６】
前記ＣＳＩ-ＲＳに対するシーケンス（ｓｅｑｕｅｎｃｅ）は以下の数式２により生成され、ｐｓｅｕｄｏ-ｒａｎｄｏｍ  ｓｅｑｕｅｎｃｅ  Ｃ（ｉ）の初期値（ｉｎｉｔｉａｌｉｚａｔｉｏｎ  ｖａｌｕｅ）は数式３により定義される。
【０１６７】
【数２】
2020150558.tif 000042
【０１６８】
【数３】
2020150558.tif 000043
【０１６９】
数式２及び３で、
2020150558.tif 000044
はｒａｄｉｏ  ｆｒａｍｅ内スロット番号（ｓｌｏｔ  ｎｕｍｂｅｒ）を示し、ｐｓｅｕｄｏ-ｒａｎｄｏｍ  ｓｅｑｕｅｎｃｅ  ｇｅｎｅｒａｔｏｒは
2020150558.tif 000045
である各ＯＦＤＭシンボルの開始でＣｉｎｔに初期化される。
【０１７０】
そして、ｌはスロット内ＯＦＤＭ  ｓｙｍｂｏｌ  ｎｕｍｂｅｒであり、
2020150558.tif 000046
はｈｉｇｈｅｒ-ｌａｙｅｒ  ｐａｒａｍｅｔｅｒ  ｓｃｒａｍｂｌｉｎｇＩＤと同一である。
【０１７１】
そして、前記ＣＳＩ-ＲＳはｈｉｇｈｅｒ  ｌａｙｅｒ  ｐａｒａｍｅｔｅｒ  ＣＳＩ-ＲＳ-ＲｅｓｏｕｒｃｅＭａｐｐｉｎｇにより時間（ｔｉｍｅ）及び周波数（ｆｒｅｑｕｅｎｃｙ）領域でＣＳＩ-ＲＳ  ｒｅｓｏｕｒｃｅのＲＥ（ｒｅｓｏｕｒｃｅ  ｅｌｅｍｅｎｔ）マッピングが設定さ。
【０１７２】
表６は、ＣＳＩ-ＲＳ-ＲｅｓｏｕｒｃｅＭａｐｐｉｎｇ  ＩＥの一例を示す。
【０１７３】
【表６】
2020150558.tif 000047
【０１７４】
表６で、密度（ｄｅｎｓｉｔｙ、Ｄ）はＲＥ／ｐｏｒｔ／ＰＲＢ（ｐｈｙｓｉｃａｌ  ｒｅｓｏｕｒｃｅ  ｂｌｏｃｋ）で測定されるＣＳＩ-ＲＳ  ｒｅｓｏｕｒｃｅのｄｅｎｓｉｔｙを示し、ｎｒｏｆＰｏｒｔｓはアンテナポートの個数を示す。
【０１７５】
そして、前記端末は前記測定されたＣＳＩを基地局に報告（ｒｅｐｏｒｔ）する（Ｓ９０３０）。
【０１７６】
ここで、表６のＣＳＩ-ＲｅｐｏｒｔＣｏｎｆｉｇのｑｕａｎｔｉｔｙが‘ｎｏｎｅ（または、Ｎｏ  ｒｅｐｏｒｔ）’に設定された場合、前記端末は前記ｒｅｐｏｒｔを省略することができる。
【０１７７】
但し、前記ｑｕａｎｔｉｔｙが‘ｎｏｎｅ（または、Ｎｏ  ｒｅｐｏｒｔ）’に設定された場合にも前記端末は基地局にｒｅｐｏｒｔすることもできる。
【０１７８】
前記ｑｕａｎｔｉｔｙが‘ｎｏｎｅ’に設定された場合は、ａｐｅｒｉｏｄｉｃ  ＴＲＳをｔｒｉｇｇｅｒする場合、またはｒｅｐｅｔｉｔｉｏｎが設定された場合である。
【０１７９】
ここで、ｒｅｐｅｔｉｔｉｏｎが‘ＯＮ’に設定された場合のみに前記端末のｒｅｐｏｒｔを省略するように定義することもできる。
【０１８０】
整理すると、ｒｅｐｅｔｉｔｉｏｎが‘ＯＮ’及び‘ＯＦＦ’に設定される場合、ＣＳＩ  ｒｅｐｏｒｔは‘Ｎｏ  ｒｅｐｏｒｔ’、‘ＳＳＢＲＩ（ＳＳＢ  Ｒｅｓｏｕｒｃｅ  Ｉｎｄｉｃａｔｏｒ）及びＬ１-ＲＳＲＰ’、‘ＣＲＩ（ＣＳＩ-ＲＳ  Ｒｅｓｏｕｒｃｅ  Ｉｎｄｉｃａｔｏｒ）及びＬ１-ＲＳＲＰ’全て可能でありうる。
【０１８１】
または、ｒｅｐｅｔｉｔｉｏｎが‘ＯＦＦ’の場合には‘ＳＳＢＲＩ及びＬ１-ＲＳＲＰ’または‘ＣＲＩ及びＬ１-ＲＳＲＰ’のＣＳＩ  ｒｅｐｏｒｔが転送されるように定義され、ｒｅｐｅｔｉｔｉｏｎ‘ＯＮ’の場合には‘Ｎｏ  ｒｅｐｏｒｔ’、‘ＳＳＢＲＩ及びＬ１-ＲＳＲＰ’、または‘ＣＲＩ及びＬ１-ＲＳＲＰ’が転送されるように定義できる。
【０１８２】
以下、ＣＳＩ  Ｒｅｐｏｒｔｉｎｇのためのフィードバックコンテンツ（ｆｅｅｄｂａｃｋ  ｃｏｎｔｅｎｔ）について述べる。
【０１８３】
ダウンリンクコードブックの構成方式は、ダウンリンクＣＳＩフィードバックタイプ１を構成する単一パネル及びマルチパネルに対応するコードブック構成方式と、タイプ２に対する線形組合せ（ｌｉｎｅａｒ  ｃｏｍｂｉｎａｔｉｏｎ）基盤のコードブック構成方式が存在できる。
【０１８４】
このようなコードブックを使用してＣＳＩなどを報告する場合、ＣＳＩは、下記のように構成されることができる。
【０１８５】
ＣＳＩを構成する要素は、ＣＲＩ（ＣＳＩ-ＲＳ  ｒｅｓｏｕｒｃｅ  ｉｎｄｉｃａｔｏｒ）、ＲＩ（ｒａｎｋ  ｉｎｄｉｃａｔｏｒ）、ＣＱＩ（ｃｈａｎｎｅｌ  ｑｕａｌｉｔｙ  ｉｎｄｉｃａｔｏｒ）及びＰＭＩ（ｐｒｅｃｏｄｉｎｇ  ｍａｔｒｉｘ  ｉｎｄｉｃａｔｏｒ）があることができる。
【０１８６】
ＣＲＩの場合、各資源は、特定アナログ及び／またはデジタルビームフォーミングが設定／適用されることができる。ＲＩは、端末が基地局にｃａｐａｂｉｌｉｔｙによって報告した端末の受信アンテナポート（Ｎ＿Ｒｘまたはアンテナ要素、以下、ポートと呼ぶ）によって報告できる最大ランクの数が決定されることができる。すなわち、ＲＩがＮ＿ＲＸと同じであるか、または小さな場合、これによってＲＩのビットフィールドが決定されることができる。
【０１８７】
例えば、Ｎ＿Ｒｘが「２」である場合、ＲＩのビットは１ｂｉｔ、Ｎ＿Ｒｘが「４」である場合、ＲＩのビットは２ｂｉｔ、Ｎ＿Ｒｘが「８」である場合、ＲＩのビットは、３ｂｉｔに設定されて報告できる。
【０１８８】
また、ＴＲＰあるいはｐａｎｅｌ間ＮＣ-ＪＴ等の目的で、ＴＲＰ／ｐａｎｅｌ  ｓｅｌｅｃｔｉｏｎの目的として使用しないＴＲＰ／Ｐａｎｅｌの目的でＲＩは「０」の値が報告されることができる。
【０１８９】
ＰＭＩは、Ｔｙｐｅ  ＩとＴｙｐｅ  ＩＩで代表されるコードブックを利用して計算されるＰＭＩであって、最もｐｒｅｆｅｒｒｅｄ／あるいはｂｅｓｔ  ｃｏｍｐａｎｉｏｎ（ｏｒ  ｗｏｒｓｔ）なＰＭＩをコードブック上において端末が計算して基地局に報告でき、ＰＭＩは、報告されるｆｒｅｑｕｅｎｃｙ  ｇｒａｎｕｌａｒｉｔｙに応じて、ｗｉｄｅｂａｎｄ、ｓｕｂ-ｂａｎｄまたはＰａｒｔｉａｌ  ｂａｎｄ（ＰＢ）  ＰＭＩになるか、または報告された周期に応じて、ｌｏｎｇ-ｔｅｒｍ／ｓｈｏｒｔ-ｔｅｒｍ  ＰＭＩで表現されることができる。
【０１９０】
ＣＱＩは、ＣＳＩ-ＲＳのＲＳ及びコードブックを利用して計算されたＳＩＮＲのｍｅｔｒｉｃに基づいて端末により計算されて、ＣＱＩ  ｔａｂｌｅを利用して基地局に報告される。
【０１９１】
ＣＲＩ
【０１９２】
ＣＲＩの場合、ビーム管理の単独用途としてＴｘ  Ｂｅａｍ  ｉｎｄｅｘを代表する値で使用されることができる。この場合、全体Ｔｘビームの個数「Ｍ」は、基地局のＴＸＲＵ仮像化（ｖｉｒｔｕａｌｉｚａｔｉｏｎ）に参加するアンテナ要素の数「Ｎａ」及びアナログビームのオーバーサンプリング値「Ｏａ」等で決定（例えば、Ｍ＝ＮａＯａ）されることができる。
【０１９３】
各パラメータは、上位階層シグナリングを介して端末に知らせるか、予め設定されることができる。
【０１９４】
または、アナログＴｘビームの数を基地局が端末に構成（ｃｏｎｆｉｇｕｒｅ）してくれるか、または基地局と端末との間に事前に約束されることができ、この場合、ｍａｘ  ＣＩＲの大きさは
2020150558.tif 000048
で、端末に設定／適用されることができる。
【０１９５】
このとき、ビーム管理用ＣＲＩは、単独で基地局に報告されることができる。
【０１９６】
Ａ．ＣＲＩ＋ＢＧＩ
【０１９７】
ＣＲＩ及びＢＧＩ（ｂｅａｍ  ｇｒｏｕｐ  ｉｎｄｅｘ）：ＢＧＩの場合、ＲＸアナログビームグループに対する指示子で、Ｔｘビームに対応する（または、ｓｐａｔｉａｌ  ＱＣＬｅｄされた）Ｔｘビームグループを任意のメトリック（ｍｅｔｒｉｃ、例えば、ＲＸＲＰ、ＲＳＲＱ、ＳＩＮＲ）によってグループ化されて設定されるか、または端末に備えられているパネル別に設定されることができる。
【０１９８】
または、ＣＲＩとＢＧＩは、各々別にエンコードされて基地局に報告されるか、またはペイロードの大きさのオーバーヘッドを減らすために共にエンコードされて基地局に報告されることができる。
【０１９９】
ｉ．ＣＲＩ＋ＢＧＩ＋ＲＳＲＰＩ（ｏｒ  ＣＱＩ）
【０２００】
ＣＩＲとＢＧＩを共に基地局に報告する場合、ＣＩＲ及びＢＧＩに追加的に、ＴｘビームまたはＴｘ-Ｒｘビーム対に対応するＲＳＲＰに対した情報を指示するために、ＲＳＲＰＩ（ＲＳＲＰ  ｉｎｄｉｃａｔｏｒ）が報告されることができる。
【０２０１】
このとき、各指示子は各々別にエンコードされるか、ペイロードの大きさのオーバーヘッドを減少させるために共にエンコードされて基地局に報告されることができる。
【０２０２】
ＲＳＲＰＩをＣＩＲ及びＢＧＩと共に報告するためには、ＲＳＲＰのためのテーブルが別に定義されるか、またはＣＱＩテーブルが利用されることができる。
【０２０３】
この場合、端末は、干渉を無視しｗｉｄｅｂａｎｄ  ＣＱＩを計算するか、または干渉のｏｎｅ-ｓｈｏｔ  ｍｅａｓｕｒｅｍｅｎｔを利用してｗｉｄｅｂａｎｄ  ＣＱＩを計算でき、ビーム管理用として設定されたポートの数が１より大きな場合にも、Ｒａｎｋ  １  ｒｅｓｔｒｉｃｔｉｏｎを想定できる。
【０２０４】
これは、ｆａｓｔ  ＣＱＩ  ａｃｑｕｉｓｉｔｉｏｎをすることができるという長所がある。
【０２０５】
基地局は、ＲＳＲＰＩまたはＣＱＩを使用するかどうかを上位階層シグナリングを介して端末に知らせることができる。
【０２０６】
Ｂ．ＣＲＩ＋ＲＳＲＰＩ（ｏｒ  ＣＱＩ）
【０２０７】
前で説明したＡ-ｉの方式と似ているように、端末は、ＢＧＩを報告せずに、ＣＲＩとＲＳＲＰＩ（またはＣＱＩ）を共に基地局に報告できる。
【０２０８】
Ｃ．ＣＲＩ＋ＰＭＩ
【０２０９】
ＣＲＩ内にｍｕｌｔｉｐｌｅ  ｐｏｒｔが設定なっており、各ｐｏｒｔ別にａｎａｌｏｇｂｅａｍが各々設定されている場合、端末は、ｐｒｅｆｅｒｒｅｄなＴｘビームを基地局に報告するために、各ＣＲＩ内のｐｏｒｔに対した情報も別に報告しなければならない。
【０２１０】
この場合、ｐｏｒｔ  ｉｎｄｉｃａｔｉｏｎのためにｐｏｒｔ  ｓｅｌｅｃｔｉｏｎコードブックと同じＰＭＩが適用され、ｗｉｄｅｂａｎｄの性格を有する。
【０２１１】
また、ＣＲＩとＰＭＩの場合、各々別にエンコードされるか、１２-ｐｏｒｔ、２４-ｐｏｒｔの場合のように、２の冪数でないｐｏｒｔ設定の場合、共にエンコードされて、ペイロードの大きさを減少させることができる。
【０２１２】
また、前記方式でも、ＡとＢと拡張結合したｒｅｐｏｒｔｉｎｇ  ｔｙｐｅ（例えば、ＣＲＩ、ＰＭＩ、及びＲＳＲＰＩ（ｏｒ  ＣＱＩ）各々別にエンコードされるか、または共にエンコードされるタイプ）が存在できる。または、ビーム管理に使用されるｐｏｒｔ数をＸ-ｐｏｒｔ以下（例えば、Ｘ＝８、ｃｏｎｆｉｇｕｒａｂｌｅ）に設定する場合、追加的なＣＲＩ及びＰＭＩがエンコードされるｔｙｐｅを考慮せずに、ＲＩを各ｐｏｒｔの指示子として拡張適用して、ＣＲＩ及びＲＩ報告に使用することもできる。
【０２１３】
このようなＣＲＩの場合、主にビーム管理用として使用されることができ、ｂｅｓｔ  ｐｒｅｆｅｒｒｅｄ  ａｎａｌｏｇ  ｂｅａｍ（ｓｅｔ）に相応するただ一つのビーム管理ＣＳＩ  ｓｅｔである｛ＣＲＩ、ＢＧＩ、ＲＳＲＰＩ（ｏｒ  ＣＱＩ）、ＰＭＩ｝が端末によって基地局に報告されることができる。
【０２１４】
ＣｏＭＰ動作、干渉制御の目的（ｂｅｓｔ  ａｎｄ  ｗｏｒｓｔ）またはビーム発見（ｂｅａｍ  ｒｅｃｏｖｅｒｙ）などの目的で多数個のアナログビームが報告されうるように設定／適用されることができる。
【０２１５】
これは、ＣＳＩ資源設定で報告されるべきＢＭ  ＣＳＩ  ｓｅｔ（またはＢＭ  ＣＳＩ  ｓｕｂｓｅｔ）の個数及びＢＭ  ＣＳＩ  ｒｅｐｏｒｔｉｎｇ  ｔｙｐｅ（例えば、ＢＭ  ＣＳＩ  ｓｕｂ  ｓｅｔから構成されるＣＳＩであり、前で説明したＡ、Ｂ、Ｃが該当）、ＢＭ  ＣＳＩ  ｒｅｐｏｒｔｉｎｇ  ｍｏｄｅをＣＳＩの手順に従って各々または統合的に適用されるように設定／適用されることができる。
【０２１６】
ＰＵＣＣＨ基盤のｒｅｐｏｒｔｉｎｇの場合、ＰＵＣＣＨ  ｃｏｎｔａｉｎｅｒの大きさに合せて、資源設定で同一インスタンス（ｉｎｓｔａｎｃｅ）に報告されるＢＭ  ＣＳＩ設定の個数が設定されることができ、設定された多数のＢＭ  ＣＳＩ  ｓｅｔが一度に報告されるか（以下、ｍｏｄｅ  １）、設定された多数のＢＭ  ＣＳＩ  ｓｅｔは、同一周期／互いに異なるｏｆｆｓｅｔを有して報告されることができる（ｍｏｄｅ  ２）。
【０２１７】
この場合、ｂｅｓｔ  ＢＭ  ＣＳＩ  ｓｅｔが他のＢＭ  ＣＳＩ  ｓｅｔに比べて高い優先順位を有する。以下は、多数のＢＭ  ＣＳＩ  ｓｅｔ  ｏｒ  ＢＭ  ＣＳＩ  ｓｕｂｓｅｔの周期的送信モードの例であり、表記の便宜上、以下は、ＢＭ  ＣＳＩ  ｓｅｔのみで表記し、ＢＭ  ＣＳＩ  ｓｕｂｓｅｔと呼ばれえることもできる。
【０２１８】
Ｍｏｄｅ  １）
【０２１９】
1st instance: BM CSI set_1 + BM CSI set_2 + …. BM CSI set_1_K (K is configurable)
【０２２０】
Mode 2)
1st instance (w/ offset 0): BM CSI set_1
1st instance (w/ offset 1): BM CSI set_2
…
1st instance (w/ offset K-1): BM CSI set_1_K (K is configurable)
【０２２１】
前で説明したＣＲＩ  ｂａｓｅｄ  ＣＳＩ  ｒｅｐｏｒｔｉｎｇは、ＢＭだけでなくＬＴＥ  Ｃｌａｓｓ  ＢのようにＣＳＩ  ａｃｑｕｉｓｉｔｉｏｎでも使用されることができる。これは、ＣＳＩ  ｒｅｓｏｕｒｃｅ  ｓｅｔｔｉｎｇの際、ＣＳＩ  ｐｒｏｃｅｓｓ別にｃｏｎｆｉｇｕｒｅされるか、または別のＲＲＣ  ｓｉｇｎａｌｉｎｇを介して端末に知らせることができる。
【０２２２】
Ｔｙｐｅ  Ｉ  ＰＭＩ
【０２２３】
ＮＲダウンリンクコードブックでタイプＩの場合、コードブックペイロードはもと表７と共に表すことができる。
【０２２４】
【表７】
2020150558.tif 000049
【０２２５】
表７中、Ｗ１は、ｗｉｄｅｂａｎｄ（及び／またはｌｏｎｇｔｅｒｍ）、Ｗ２は、ｓｕｂ-ｂａｎｄ（及び／またはｓｈｏｒｔｔｅｒｍ）ＰＭＩを表し、ｘ-ｐｏｒｔの中で（１Ｄ）は、基地局のポートレイアウトが１Ｄ（例えば、Ｎ２＝１、Ｎ１とＮ２は、それぞれ１ｓｔ及び２ｎｄドメインのポート数）を表す。
【０２２６】
Ｃｏｎｆｉｇ  １は、ＬＴＥ  Ｃｌａｓｓ ＡコードブックＣｏｎｆｉｇ  １と同じく、Ｃｏｎｆｉｇ  ２は、２Ｄである場合、ＬＴＥ  Ｃｌａｓｓ  ＡコードブックＣｏｎｆｉｇ  ２と同じく、１Ｄである場合、ＬＴＥ  Ｃｌａｓｓ  ＡコードブックＣｏｎｆｉｇ  ４と同じである。
【０２２７】
Ｒａｎｋ３以上では、Ｃｏｎｆｉｇ  １だけ存在できる。
【０２２８】
以下の表８は、マルチパネルの状況でコードブックペイロードの構成の一例を示す。
【０２２９】
【表８】
2020150558.tif 000050
【０２３０】
表２では、Ｘ-ｐｏｌアンテナが仮定された。
【０２３１】
表２中、Ｎｇはパネルの数を表し、Ｎ１及びＮ２は、マルチパネルを構成する単一個のパネル内で１ｓｔドメインと２ｎｄドメインのアンテナポートの数を表す。
【０２３２】
したがって、最終ポートの数は、２＊Ｎｇ＊Ｎ１＊Ｎ２になることができ、マルチパネルの場合、ランク４まで定義されることができる。
【０２３３】
タイプ１のＣＳＩの場合、ＰＭＩのペイロードの大きさがタイプ２のＣＳＩに比べて小さいために、ＰＵＳＣＨはもちろん、ＰＵＣＣＨに基づいた報告にも設定／適用されることができる。
【０２３４】
＜Ｐｒｏｐｏｓａｌ  １＞
【０２３５】
端末がコードブック構成を報告する場合、コードブックの構成を表すｃｏｄｅｂｏｏｋ  ｃｏｎｆｉｇ  ｉｎｄｉｃａｔｏｒ（１ｂｉｔ  ＣＣＩ）は、個別的にまたはＲＩと共にエンコードされることができる。
【０２３６】
コードブック構成１と２の差は、Ｗ１を構成するビームのグループ数が１なのかまたは４なのかによる。これは、ｓｕｂ-ｂａｎｄ  ＰＭＩが構成される場合、ビーム選択が含まれるかどうかにも帰結できる。したがって、遅延拡散（ｄｅｌａｙ  ｓｐｒｅａｄ）などが大きくて、周波数選択性（ｆｒｅｑｕｅｎｃｙ  ｓｅｌｅｃｔｉｖｉｔｙ）が非常に大きなチャネル環境で端末がコードブック構成１に設定された場合、コードブックを介してこのような高い周波数選択性を十分に反映できない。
【０２３７】
この場合、端末は、高い周波数選択性を十分に反映するために、Ｗ２でビーム選択を含んだ報告（すなわち、コードブック構成２）を行うことができる。
【０２３８】
端末は、チャネル環境によって使用するコードブック構成をＣＣＩを介して追加的に基地局に報告することによって、ＰＭＩを效率的に調節できる。
【０２３９】
コードブック構成を表す１  ｂｉｔ  ＣＣＩは、ＰＭＩの一種として区別されうるが、コードブック構成によってＰＭＩのペイロードが変わるから、ＣＣＩは、別にエンコードされるか、またはＲＩと共にエンコードされることができる。
【０２４０】
このような方法は、ＰＵＣＣＨ及び／またはＰＵＳＣＨで適用／設定されることができる。
【０２４１】
＜Ｐｒｏｐｏｓａｌ  ２＞
端末がＭＰコードブックとして設定される場合、ｐａｎｅｌ  ｃｏ-ｐｈａｓｅ  ｍｏｄｅに関する指示子（例えば、１  ｂｉｔのＰＣＭＩ）は、別にまたはＲＩと共にエンコードされることができる。
【０２４２】
ＭＰコードブックでｐａｎｅｌ  ｃｏ-ｐｈａｓｅに関するＰＭＩは、モード１（ｗｉｄｅｂａｎｄ  ｃｏ-ｐｈａｓｅ）、モード２（ｗｉｄｅｂａｎｄ及びｓｕｂ-ｂａｎｄ  ｃｏ-ｐｈａｓｅ）に設定されることができる。
【０２４３】
特に、Ｎｇの値が「２」であるからモード２に設定されうる場合、端末は、チャネルの状況により周波数選択性が小さいと、モード１に従い、ｓｕｂ-ｂａｎｄ  ｐａｎｅｌ  ｃｏ-ｐｈａｓｅ  ｒｅｐｏｒｔｉｎｇが必要な場合、モード２に対するＭＰコードブックを使用するために、ＰＣＭＩは、別にまたはＲＩと共にエンコードされることができる。
【０２４４】
ＰＣＭＩが別にまたはＲＩと共にエンコードされる場合、ペイロードセービングの効果があり、ＰＵＣＣＨ及び／またはＰＵＳＣＨに設定／適用されることができる。
【０２４５】
仮に、Ｎｇが異なる値に対して、２通りのモードが設定されることができる場合、前で説明した方法と同様に、端末は、ＰＣＭＩを基地局に報告でき、できない場合、端末はデフォルトでモード１で動作し、ＰＣＭＩを基地局に報告しない。
【０２４６】
＜Ｐｒｏｐｏｓａｌ  ３＞
【０２４７】
ＮＲのＰＭＩフィードバックの場合、ＰＵＣＣＨに基づいた報告で設定されても、性能低下が大きく発生するコードブックサブサンプリング（ｃｏｄｅｂｏｏｋ  ｓｕｂｓａｍｐｌｉｎｇ）を回避するよう設計されることができる。
【０２４８】
単一パネルコードブックの場合、最大ペイロードの大きさは３２-ｐｏｒｔ  ２Ｄ  ｌａｙｏｕｔの場合、ＲＩ＝３、Ｗ１＝８、Ｗ２＝１、ＣＱＩ＝７（ランク１-４の場合、１個のコードワード使用（４ｂｉｔ）、ランク５-８の場合、二つのＣＷ使用（７ｂｉｔ））でｗｉｄｅｂａｎｄ  ＰＭＩ報告に総１９ｂｉｔのペイロードが必要である。
【０２４９】
ｓｕｂ-ｂａｎｄ報告が考慮されるとしても、Ｌ（例えば、２ｂｉｔ）の値に応じて、２１ｂｉｔのペイロードが必要なときがある。したがって、下記のようにＲＩ、ＰＭＩ、及びＣＱＩを一度に報告するためのｃｏｎｔａｉｎｅｒ大きさに応じて、以下のようなモードが設定されることができる。
【０２５０】
以下のモードにおいてＲＩのプロテクションを高めるために、ＲＩは、ＭＳＢ（ｍｏｓｔ  ｓｉｇｎｉｆｉｃａｎｔ  ｂｉｔ）の位置にエンコードされることができる。
【０２５１】
mode 1-0(wideband reporting mode)
1st instance: RI+wideband W1+wideband W2+wideband CQI
mode 1-1
1st instance: RI
2nd instance: wideband W1+wideband W2+wideband CQI
Mode 1-1においてRIは、プロテクションを高めるために1st instanceでエンコードされ、1st instanceは、2nd instanceのinteger multipleである。
mode 2-0(sub-band reporting mode)
1st instance: RI+sub-band W1+sub-band W2+sub-band CQI+R
mode 2-1
1st instance: RI+wideband W1+wideband W2+wideband CQI
2nd instance: RI+wideband W1+sub-band W2+sub-band CQI+L
mode 2-2
1st instance: RI
2nd instance: wideband W1+sub-band W2+sub-band CQI+L
mode 2-3
1st instance: RI+wideband W1
2nd instance: sub-band W2+sub-band CQI+L
【０２５２】
Ｍｏｄｅ  ２-１、２-２及び２-３において１ｓｔ  ｉｎｓｔａｎｃｅは、２ｎｄ  ｉｎｓｔａｎｃｅのｉｎｔｅｇｅｒ  ｍｕｌｔｉｐｌｅである。
【０２５３】
Ｍｏｄｅ１-０と２-０の中でどんなｍｏｄｅのプリコーディングタイプを介してパラメータを転送するかは、端末がチャネル状況によって判断して基地局に要請でき、このために端末は、追加的に基地局に１ｂｉｔの報告を行うことができる。
【０２５４】
このとき、１ｂｉｔの報告は、ＲＩと共にエンコードされて行われることができる。例えば、以下のようなモードを介して端末は基地局に報告を行うことができる。
【０２５５】
1st instance: (RI+PTI=0)+ wideband W1 + wideband W2 + wideband CQI
1st instance: (RI+PTI=1) + sub-band W1 + sub-band W2 + sub-band CQI + L
mode 3(sub-band reporting mode)
1st instance: RI + wideband W1 and/or (wideband W2 + wideband CQI)
2nd instance: (sub-band W2 + sub-band CQI)_1 + (sub-band W2 + sub-band CQI)_2 + … + (sub-band W2 + sub-band CQI)_K
mode 3-1(sub-band reporting mode)
1st instance: RI + wideband W1 +wideband W2 + wideband CQI + (sub-band W2 + sub-band CQI)_1 + (sub-band W2 + sub-band CQI)_2 + … + (sub-band W2 + sub-band CQI)_NSB
【０２５６】
Ｍｏｄｅ  ３-１においてｓｕｂ-ｂａｎｄ  ＣＱＩは、ｗｉｄｅｂａｎｄ  ＣＱＩのｄｉｆｆｅｒｅｎｔｉａｌに与えられるか、または同等なｂｉｔ  ｗｉｄｔｈで与えられることができ、ＮＳＢは、構成されたｓｕｂ-ｂａｎｄの個数である。
【０２５７】
１ｓｔ  ｉｎｓｔａｎｃｅは、２ｎｄ  ｉｎｓｔａｎｃｅの周期のｉｎｔｅｇｅｒ  ｍｕｌｔｉｐｌｅで仮定することができる。２ｎｄ  ｉｎｓｔａｎｃｅでは、Ｋ（Ｋ値はｃｏｎｆｉｇｕｒａｂｌｅ）個のｓｕｂ-ｂａｎｄに対応するＰＭＩ＋ＣＱＩを報告できる。
【０２５８】
特に、ＣＱＩフィードバックに対するペイロードの大きさを減らすために、該当ｍｏｄｅは、最大ｍａｘ  ＲＩが「４」以下である端末に対して設定されることに制限されるか、基地局が追加的に最大ＲＩ報告に対するシグナリングを端末に転送してｍｏｄｅ  ３で動作するよう暗示的に指示できる。
【０２５９】
または、基地局が端末にｍｏｄｅ  ３で動作するよう明示的に指示する場合、端末は、ｃａｐａｂｉｌｉｔｙをｍａｘ  ＲＩが「８」と報告したとしても、ｍａｘ  ＲＩが「４」で動作するよう、コードブックサブセット制限（ｃｏｄｅｂｏｏｋ  ｓｕｂｓｅｔ  ｒｅｓｔｒｉｃｔｉｏｎ）などを利用して動作／設定されることができる。
【０２６０】
ＲＩ提案のためのシグナリングは、システムロードバランス（ｓｙｓｔｅｍ  ｌｏａｄ  ｂａｌａｎｃｉｎｇ）のための目的などで使用されることができる。
【０２６１】
または、ＣＱＩのペイロードの大きさを減らすために、第１番目のコードワードのＣＱＩは、多くのｂｉｔが割り当てられ、第２番目以後のコードワードに対するＣＱＩは、より少ないｂｉｔ（第１番目のコードワードのＣＱＩの差に対するｉｎｄｅｘ）で報告されることができる。
【０２６２】
また、ｍｏｄｅ  ３の場合、コードブック構成１に設定されることを提案して、Ｗ２のペイロードの大きさを減らすことができる。
【０２６３】
Ｐｒｏｐｏｓａｌ  ３は、ｐｒｏｐｏｓａｌ  １または２との組み合わせで拡張されて適用されることができ、ＳＰ及びＭＰを含むタイプ１のＣＳＩフィードバックのＰＵＣＣＨ報告に全部適用されることができる。
【０２６４】
Ｍｏｄｅ １、２及び３は、上位階層を介して設定されるか、または端末のチャネル環境などを考慮して基地局にｒｅｃｏｍｍｅｎｄできる。
【０２６５】
前で説明したＰＵＣＣＨの報告の際、端末に構成されたポートの数、及び／または構成が単一パネルであるか、またはマルチパネルであるかによって、最大ペイロードの大きさが変わることができるから、支援するＰＵＣＣＨ  ｃｏｎｔａｉｎｅｒ  ｓｉｚｅまたはフォーマットが異なるように設定されることができる。
【０２６６】
ＰＵＣＣＨに基づいた一つのインスタント報告の場合、ＲＩ＋ＰＭＩ（Ｗ１、Ｗ２）＋ＣＱＩまたは（ＲＩ／ＰＭＩ＋ＣＱＩ）が共にエンコードされる場合、フィードバックペイロードの大きさを減らすことができる。
【０２６７】
すなわち、ＲＩに応じてＰＭＩの大きさが可変する場合（ＣＱＩの大きさが可変的（例えば、１コードワードであるランク１-４と２コードワードであるランク５-８のＣＱＩの大きさが異なる）、ＰＵＣＣＨ専用報告（ＰＵＣＣＨ  ｏｎｌｙ  ｒｅｐｏｒｔｉｎｇ）がブロックコード系列（ポラーまたはＬＤＰＣコード）という点が利用されることができる。
【０２６８】
この場合、ＲＩがまずデコードされた後、ＲＩのデコード結果が反映されてＰＭＩがデコードされることができる。例えば、ＲＩが「１」である場合、ＰＭＩは、「１０ｂｉｔ」で、ＲＩが「２」である場合、ＰＭＩは、「１２ｂｉｔであると、基地局は、ＲＩをまずデコードしてＲＩの値を確認することができる。
【０２６９】
基地局は、ＲＩのデコードを介してＲＩの値が「１」であると、これを反映して１０ｂｉｔに該当するＰＭＩの値をデコードできる。
【０２７０】
これは、ブロックコードを利用するブロック長が情報（またはメッセージ）長に応じて可変的でないとの事実が仮定されなければならない。したがって、ＰＵＣＣＨ端末報告でペイロードの大きさを減らすために、ＲＩ、ＰＭＩ及び／またはＣＱＩは共にエンコードされることができる。
【０２７１】
特に、１ｓｔ  ｉｎｓｔａｎｃｅにすべてのＣＳＩコンテンツが転送されるｍｏｄｅ  ３-１の場合、前で説明した方法に従って共にエンコードされて報告されるから、ペイロードの大きさを減らすことができる。
【０２７２】
このようなモードが支援される場合、ｓｕｂ-ｂａｎｄのペイロードが問題になりうるから、このために、このようなモードは。コードブック構成１またはＭＰである場合、ｍｏｄｅ  １（２とおりの場合、Ｗ２は、ｒａｎｋ  １であるとき、２であり、残りは１である）に限定されることができる。
【０２７３】
または、常にランク制限を４以下（この場合、コードワードが１個使用されるから、ｓｕｂ-ｂａｎｄ  ＣＱＩペイロードを調節するための目的で使用されることができる）に設定される場合に、特定モードが使用されるように制限されることができる。
【０２７４】
本発明のさらに他の実施の形態としてブラインドデコードのための多数のペイロードの大きさまたはフォーマットで構成されたセットを端末に構成することもできる。
【０２７５】
ＰＵＣＣＨ基盤の報告の場合、以下のようなオプションが考慮されることができる。
【０２７６】
Ａｌｔ．１：ＲＩ、ＣＲＩ、ＰＭＩ及びＣＱＩが共にエンコード
【０２７７】
Ａｌｔ．１Ｂ：エンコード前にパディングビットを有するＲＩ／ＣＲＩ／ＰＭＩ／ＣＱＩ（ＲＩと関係なく同じペイロードを保障するために）。
【０２７８】
Ａｌｔ  １の場合、ａｄａｐｔｉｖｅにペイロードの大きさを決定して効率的なアップリンク転送をすることができるが、すべての可能なペイロードの個数に対してブラインドディテクションが行われなければならないという問題点が存在する。
【０２７９】
Ａｌｔ  １Ｂの場合、ただ一度のブラインドディテクションでデコードを行うことができるが、全体ペイロードがすべての可能な場合の最大値に設定され、設定された大きさよりペイロードが小さな場合、ｚｅｒｏ-ｐａｄｄｉｎｇで転送されることができる。
【０２８０】
この場合、Ａｌｔ  １より必要以上にアップリンク資源が使用されることができ、ターゲットＢＬＥＲ達成のために、相対的にアップリンクパワーが大きくなってアップリンク干渉が発生できる。
【０２８１】
したがって、Ａｌｔ  １及びＡｌｔ  １Ｂを共に考慮して、特定個数のペイロードの大きさまたはフォーマットを端末に構成することができる。
【０２８２】
この場合、端末は、特定個数のペイロードの大きさに応じてＣＳＩをエンコードして基地局に報告し、基地局は、これを利用して特定個数ぶんだけブラインドディテクションを行ってＣＳＩをデコードできる。
【０２８３】
または、ペイロードの大きさの個数は、構成されたＣＳＩ-ＲＳ資源の個数、全体構成されたＣＳＩ-ＲＳが含むことができるポート数または送信モード（例えば、ｗｉｄｅｂａｎｄ／ｓｕｂ-ｂａｎｄ  ｔｒａｎｓｍｉｓｓｉｏｎ）によって決定されることができる。
【０２８４】
この場合、与えられたフォード内にＲＩに応じるペイロードの大きさ変化が大きくないことができる。
【０２８５】
以下、ＰＵＳＣＨに基づいたＣＳＩ  Ｒｅｐｏｒｔｉｎｇに対して述べることにする。
【０２８６】
ＰＵＳＣＨ-ｂａｓｅｄ  ｒｅｐｏｒｔｉｎｇ
【０２８７】
図１０は、本明細書で提案するＣＳＩエンコード方法の一例を示す図である。
【０２８８】
図１０の（ａ）及び（ｂ）を参照すると、ＰＵＳＣＨに基づいたＣＳＩ  Ｒｅｐｏｒｔｉｎｇは、二つまたは三つのパートに分けて行われることができる。
【０２８９】
ＤＣＩに対したデコードに成功する場合、端末は、サービングセル（ｃ）のＰＵＳＣＨを使用してａｐｅｒｉｏｄｉｃ  ＣＳＩ報告を行う。
【０２９０】
ＰＵＳＣＨで行われるａｐｅｒｉｏｄｉｃ  ＣＳＩ  ｒｅｐｏｒｔｉｎｇは、ｗｉｄｅｂａｎｄ及びｓｕｂ-ｂａｎｄ周波数細分性（ｆｒｅｑｕｅｎｃｙ  ｇｒａｎｕｌａｒｉｔｙ）を支援する。
【０２９１】
ＰＵＳＣＨで行われるａｐｅｒｉｏｄｉｃ  ＣＳＩ  ｒｅｐｏｒｔｉｎｇは、Ｔｙｐｅ  Ｉ及びＴｙｐｅ  ＩＩ  ＣＳＩを支援する。
【０２９２】
ＳＰ（ｓｅｍｉ-ｐｅｒｓｉｓｔｅｎｔ）ＣＳＩ  ｔｒｉｇｇｅｒ  ｓｔａｔｅを活性化するＤＣＩフォーマット０＿１に対したデコードに成功する場合、端末は、ＰＵＳＣＨに対したＳＰ  ＣＳＩ報告を行う。
【０２９３】
ＤＣＩ  ｆｏｒｍａｔ０＿１は、活性化または非活性化するＳＰ  ＣＳＩ  ｔｒｉｇｇｅｒ  ｓｔａｔｅを表すＣＳＩ要請フィールド（ｒｅｑｕｅｓｔ  ｆｉｅｌｄ）を含む。
【０２９４】
ＰＵＳＣＨに対したＳＰ  ＣＳＩ  Ｒｅｐｏｒｔはｗｉｄｅｂａｎｄ及びｓｕｂ-ｂａｎｄ周波数細分性を有するＴｙｐｅ  Ｉ及びＴｙｐｅ  ＩＩＣＳＩを支援する。
【０２９５】
ＳＰ  ＣＳＩ報告に対するＰＵＳＣＨｒｅｓｏｕｒｃｅ及びＭＣＳ（ＭｏｄｕｌａｔｉｏｎａｎｄＣｏｄｉｎｇＳｃｈｅｍｅ）というＵＬＤＣＩにより伴-永久的に割り当てられる。
【０２９６】
ＰＵＳＣＨに対したＣＳＩ  ｒｅｐｏｒｔは、ＰＵＳＣＨ上のＵＬ  ｄａｔａとｍｕｌｔｉｐｌｅｘｉｎｇされることができる。
【０２９７】
また、ＰＵＳＣＨに対したＣＳＩ  ｒｅｐｏｒｔｉｎｇは、ＵＬ  ｄａｔａとマルチプレクスなしで行われることができる。
【０２９８】
Ｔｙｐｅ  ＩＩ  ＰＭＩコードブックに対するＣＳＩ  Ｒｅｐｏｒｔｉｎｇの場合、Ｔｙｐｅ  Ｉ  ＰＭＩコードブックに比べて、ＣＳＩ  Ｒｅｐｏｒｔｉｎｇのためのペイロードの大きさが非常に大きい。したがって、ペイロードの大きさに対する制限にかなり強いＰＵＣＣＨ基盤のＣＳＩ  Ｒｅｐｏｒｔｉｎｇには適しておらず、ＰＵＳＣＨに基づいたＣＳＩ  Ｒｅｐｏｒｔｉｎｇだけで動作するよう設定されることができる。
【０２９９】
仮に、ＰＵＣＣＨに基づいたＣＳＩ  Ｒｅｐｏｒｔｉｎｇが使用される場合、Ｌは、「２」、ＱＰＳＫ  ｃｏ-ｐｈａｓｅ及び／またはｒａｎｋ  １制限を仮定するｗｉｄｅｂａｎｄ  ＣＳＩ  Ｒｅｐｏｒｔｉｎｇが行われるように設定されて適用されることができる。
【０３００】
Ｔｙｐｅ  ＩＩ  ＰＭＩコードブックを構成する要素は、Ｗ１を構成するためのＯ１＊Ｏ２個のｏｒｔｈｏｇｏｎａｌ  ｓｅｔ  ｓｅｌｅｃｔｉｏｎ（Ｏ１、Ｏ２は、各々個別的なオーバーサンプリング要素（ｏｖｅｒ  ｓａｍｐｌｉｎｇ  ｆａｃｔｏｒ  ｆｏｒ  １ｓｔ  ａｎｄ  ２ｎｄ  ｄｏｍａｉｎ）、与えられたＮ１＊Ｎ２個の直交ビームのうち、ｌｉｎｅａｒ  ｃｏｍｂｉｎｉｎｇされるＬ個のビーム選択
2020150558.tif 000051
、Ｘ-ｐｏｌアンテナを考慮して、総２Ｌ個のビームの中で最も強靭なビーム選択（ｓｔｒｏｎｇｅｓｔ  ｂｅａｍ  ｓｅｌｅｃｔｉｏｎ）、ｗｉｄｅｂａｎｄ  ａｍｐｌｉｔｕｄｅ  ｃｏｍｂｉｎｉｎｇから構成されることができ、Ｗ２は、２Ｌ個のビームのｓｕｂ-ｂａｎｄ  ｐｈａｓｅ及びａｍｐｌｉｔｕｄｅ  ｃｏｍｂｉｎｉｎｇから構成されることができる。
【０３０１】
＜Ｐｒｏｐｏｓａｌ  ４＞
【０３０２】
ＰＵＳＣＨに基づいたＣＳＩ  Ｒｅｐｏｒｔｉｎｇの場合、ＲＩ、Ｗ１及びＷ２＋ＣＱＩが共にエンコードされ、ＣＲＩがエンコードされてｒｅｐｏｒｔｉｎｇされることができる。
【０３０３】
Ｔｙｐｅ  ＩＩ  ＣＳＩフィードバックの場合、ｗｉｄｅｂａｎｄ  ａｍｐｌｉｔｕｄｅ  ｃｏｅｆｆｉｃｉｅｎｔ（ＲＰＩ）内の値が「０」を含んでいるから、ｓｕｂ-ｂａｎｄ  ｐｈａｓｅ及び／またはａｍｐｌｉｔｕｄｅ  ｃｏｍｂｉｎｉｎｇに相応するペイロードが消耗されるという問題点がある。
【０３０４】
これを解決するために、ｗｉｄｅｂａｎｄ  ａｍｐｌｉｔｕｄｅだけを単独でエンコードするか、またはＲＩと共にエンコードできる。
【０３０５】
しかしながら、ｗｉｄｅｂａｎｄ  ｐｏｗｅｒ  ｃｏｅｆｆｉｃｉｅｎｔのペイロードの大きさは、３ｂｉｔ＊（２Ｌ-１）で計算され、Ｌが「２」、ｒａｎｋ  １の場合にも、９ｂｉｔでその大きさが非常に大きく、ｒａｎｋ２の場合、１８ｂｉｔに相応して、ＲＩ（１ｂｉｔ）と共にエンコードされるにはＲＩのｐｒｏｔｅｃｔｉｏｎ性能が低くなる等の問題が発生できる。
【０３０６】
したがって、ＲＩ及びｗｉｄｅｂａｎｄ  ｐｏｗｅｒ  ｃｏｅｆｆｉｃｉｅｎｔを含むＷ１に相応するＰＭＩは、各々別にエンコードされ、Ｗ２に相応するＰＭＩとＣＱＩを共にエンコードされることができる。
【０３０７】
また、ｐｒｏｔｅｃｔｉｏｎなどを考慮したＣＳＩ  ｐｒｉｏｒｉｔｙの場合、ＣＲＩ、ＲＩ、Ｗ１、Ｗ２＋ＣＱＩの順に優先順位が設定されることができる。
【０３０８】
このような場合、Ｔｙｐｅ  ＩＩ  ＰＭＩコードブックを利用する場合に限定されることができ、Ｔｙｐｅ  Ｉ  ＰＭＩコードブックを利用する場合には、ＲＩ、ＰＭＩ＋ＣＱＩでエンコードされるか、または全部統合的にｐｒｏｐｏｓａｌ  ４が適用されることができる。
【０３０９】
ＲＩとＷ１が共にエンコードされる場合、ＣＲＩとＲＩは、ｐｒｏｔｅｃｔｉｏｎのためにＭＳＢに含まれることができる。
【０３１０】
本発明においてＲＰＩは、ｗｉｄｅｂａｎｄ  ＰＭＩの一部としてＰＭＩに含まれることができるが、便宜上、ＲＰＩは、ｗｉｄｅｂａｎｄ  ＰＭＩを意味し、ＰＭＩは、ＲＰＩを除いた残りのＰＭＩを意味できる。
【０３１１】
このとき、数式４は、ＲＰＩに含まれることができる値の一例を表す。
【０３１２】
【数４】
2020150558.tif 000052
【０３１３】
または、ＲＰＩが「０」に選択されるのを防止するために、または最小化させるために、端末はＬの値を減らすのを基地局に要請したり、Ｌの値を減らして計算されたＰＭＩを基地局に報告し、Ｌの値が変更されたことを基地局に追加的にｒｅｐｏｒｔｉｎｇできる。
【０３１４】
本発明のさらに他の実施の形態として、ＣＳＩ  ｒｅｐｏｒｔｉｎｇは、図１０の（ａ）に示すように、２個のパート（ｐａｒｔ  １及びｐａｒｔ  ２）に各々エンコードできる。
【０３１５】
このとき、各パートでエンコードされるパラメータは、以下のとおりである。
【０３１６】
Ｐａｒｔ  １：ＲＩ＋ＲＰＩ
Ｐａｒｔ  ２：ＰＭＩ＋ＣＱＩ
または
Ｐａｒｔ  １：ＲＩ＋ＲＰＩ＋ＣＱＩ（ｗｉｄｅｂａｎｄ）
Ｐａｒｔ  ２：ＰＭＩ＋ＣＱＩ（ｓｕｂ-ｂａｎｄ、仮にｓｕｂ-ｂａｎｄ  ｒｅｐｏｒｔｉｎｇモードが設定される場合）
または
Ｐａｒｔ  １：ＲＩ＋ＲＰＩ＋ＣＱＩ
Ｐａｒｔ  ２：ＰＭＩ
【０３１７】
各ｐａｒｔに含まれるパラメータは、各々別のフィールドを有することができ、同じコーディング率（ｃｏｄｉｎｇ  ｒａｔｅ）でエンコードされることができる。
【０３１８】
以下、本発明でＣＳＩ  Ｒｅｐｏｒｔｉｎｇのため各ｐａｒｔのパラメータを同じ方法でエンコードすることができる。
【０３１９】
このように２個のパートに分けてＣＳＩ  Ｒｅｐｏｒｔｉｎｇが行われる場合、ＲＰＩのｂｉｔ  ｗｉｄｔｈがＲＩに依存するから、ＲＩの値に応じてＲＰＩが変わることができる。
【０３２０】
この場合、複雑度は増加するが、ブロックチャネルコーディングの特性上、ＲＩがまずデコードされて、残りのＲＰＩ及び／またはＣＱＩがデコードされることができる。
【０３２１】
ＲＩがまずデコードされる場合、ペイロードが変わることに対する模倣性が減少されることができ、三つの段階でｄｅｐｅｎｄｅｎｃｙを持っていくのを二つの段階に減らすために、ＲＰＩは、ＲＩが「２」である場合のｂｉｔ  ｗｉｄｔｈと仮定し、ＲＩが「１」である場合は、残りの状態またはｂｉｔ  ｗｉｄｔｈは、ｚｅｒｏ-ｐａｄｄｉｎｇされると仮定されることができる。
【０３２２】
例えば、ＲＰＩＯのｂｉｔ  ｗｉｄｔｈが３ｂｉｔ＊（２Ｌ-１）＊２であり、ＲＩが「１」である場合、３ｂｉｔ＊（２Ｌ-１）のｂｉｔだけに情報を含め、残りの３ｂｉｔ＊（２Ｌ-１）ｂｉｔに対してはｚｅｒｏ-ｐａｄｄｉｎｇが行われることができる。
【０３２３】
または、ＲＰＩによるペイロードのｄｅｐｅｎｄｅｎｃｙをなくすために、追加的にＲＰＩが「０」の値を有するｃｏｍｂｉｎｉｎｇビームの数を追加的に端末が基地局に報告して、全体ペイロードがＲＰＩに応じて可変するのを防止できる。
【０３２４】
すなわち、ＲＰＩの個数は、（２Ｌ-１）＊ＲＩ、Ｔｙｐｅ  ＩＩ  ＰＭＩコードブックの最大転送ｒａｎｋは「２」である場合、最大転送ビットの数は、以下の数式５のとおりに表すことができる。
【０３２５】
【数５】
2020150558.tif 000053
【０３２６】
数式５に相応するフィードバックビットをＮ＿ＲＰＩＯと呼ぶことができ、Ｌは、上位階層シグナリングに指示されるコードブック構成パラメータであって、線形結合基盤のコードブックで線形結合される基底ベクトル（例えば、ＤＦＴベクトル）の数を表す。
【０３２７】
この場合、Ｌの値が「４」であると、４ｂｉｔでＲＰＩが「０」である個数を知らせることができる。例えば、ＲＰＩが「０」である個数が２で、ＲＩが「１」であると、ＲＰＩフィールドに相応するＣＳＩのうち、２個は「０」の値を有することができ、これによって（２Ｌ-１）-２個のビームの数分だけｓｕｂ-ｂａｎｄ  ＰＭＩ（ａｍｐｌｉｔｕｄｅ及び／またはｐｈａｓｅ）がｃｏｍｐｕｔａｔｉｏｎ／ｒｅｐｏｒｔｉｎｇされると端末は認識して動作できる。
【０３２８】
または、ＲＰＩが「０」でない値を有するビームの数を報告する場合にも、前で説明した動作と類似の動作を端末は行うことができ、Ｎ＿ＲＰＩ０が表す値に対応するビームの個数分だけｓｕｂ-ｂａｎｄ  ＰＭＩ（ａｍｐｌｉｔｕｄｅ及び／またはｐｈａｓｅ）がｃｏｍｐｕｔａｔｉｏｎ／ｒｅｐｏｒｔｉｎｇされると端末は認識して動作できる。
【０３２９】
すなわち、ｓｕｂ-ｂａｎｄ  ＰＭＩのｂｉｔｗｉｄｔｈはＰａｒｔ  １に含まれるランク指示子及び「０」でない相対的振幅係数の数を表す指示子によって決定されることができる。
【０３３０】
本発明で、Ｎ＿ＲＰＩ０は、Ｔｙｐｅ  ＩＩ  ＰＭＩコードブックに対してｌａｙｅｒ別ｎｏｎ-ｚｅｒｏ  ｗｉｄｅｂａｎｄ  ａｍｐｌｉｔｕｄｅ  ｃｏｅｆｆｉｃｉｅｎｔｓの個数に対するｉｎｄｉｃａｔｉｏｎを表すｐａｒａｍｅｔｅｒである。
【０３３１】
すなわち、Ｎ＿ＲＰＩ０は、０または０でない相対的振幅係数を表す指示子である。
【０３３２】
または、Ｎ＿ＲＰＩ０は、ｚｅｒｏ  ａｍｐｌｉｔｕｄｅビームまたはｎｏｎ-ｚｅｒｏ  ａｍｐｌｉｔｕｄｅビームの数を表すことができ、ＮＺＢＩと呼ばれることができる。
【０３３３】
結果的に、端末によってＮ＿ＲＰＩ０の値が追加的に報告されたことによって、ＰＭＩのペイロードがＲＰＩによって可変的になるのを防止できる。
【０３３４】
または、Ｎ＿ＲＰＩ０のペイロードを特定値（例えば、２ｂｉｔ）に設定できる。例えば、Ｎ＿ＲＰＩ０のペイロードを２ｂｉｔに特定する場合、端末が報告できるＲＰＩの値が「０」であるビームの最大数は、４個に限定されることができる。
【０３３５】
このような方法は、ｒａｎｋ別に統合的に適用されるか、または各々独立的に適用されることができる。
【０３３６】
端末のＴｙｐｅ  ＩＩ  ＣＳＩ計算によってＲＰＩの値が「０」であるビームの数が４個より多い場合（例えば、５）、予め設定された順序に従って端末はｒｅｐｏｒｔｉｎｇを行うことができる。
【０３３７】
例えば、ＲＰＩの値が「０」であるビームの数が５個である場合、端末は、特定ｏｒｄｅｒｉｎｇ規則によってｉｎｄｅｘの低い４個のビームを落とし（ＤＲＯＰ）、第５番目のビームのＲＰＩは「０」でない最も小さな実数に対応する値（例えば、
2020150558.tif 000054
）を表すように動作できる。
【０３３８】
ＲＰＩが「０」または「０」でないビームの数を知らせる方法は、ｌａｙｅｒ別に表すことができる。この場合、最大転送ビット数は、２＊
2020150558.tif 000055
になることができ、Ｌが「４」である場合、最大６ｂｉｔで「０」または「０」でないビームの数を知らせることができる。
【０３３９】
ＲＩが「１」である場合、前の３ｂｉｔのみが使用され、残りの３ｂｉｔは、ｚｅｒｏ-ｐａｄｄｉｎｇされるか、または特定値（例えば、３ｂｉｔ  ｓｔａｔｅが０００または１１１等でｒａｎｋ２が転送されないということを意味できる）でマッピングされることができ、基地局は、特定値でマッピングされた場合、マッピングされた値を無視すると予め設定されることができる。
【０３４０】
このような方法を利用すると、ＲＩまたは暗示的に端末が基地局に知らせることができるから、ＲＩは転送されないことができる。しかしながら、ＲＩのｈｉｇｈ  ｐｒｏｔｅｃｔｉｏｎのために、ＲＩの値は転送されることができる。
【０３４１】
または、ＲＰＩが「０」または「０」でないビームの数は、２＊（２Ｌ-１）のビットマップ（各ｌａｙｅｒ当たりのビットマップ）で指示されることができる。この場合、どんなビームが「０」の値または「０」でない値を有するかに対する模倣性がなくなることができるから、以下で説明するＲＰＩ  ｒｅｐｏｒｔｉｎｇ（ｗｉｄｅｂａｎｄ  ａｍｐｌｉｔｕｄｅ）が行われる場合ペイロードで「０」に該当する値のｂｉｔ数（３ｂｉｔ）を減らすことができる。
【０３４２】
すなわち、ＲＰＩが「０」または「０」でないビームの数がビットマップで指示される場合、ＲＰＩの値が「０」であるビームのｐａｒｔでＰＭＩは報告されないように設定されることができる。
【０３４３】
ＰＭＩの値は、ｗｉｄｅｂａｎｄ及び／またはｓｕｂ-ｂａｎｄ  ａｍｐｌｉｔｕｄｅ及びｓｕｂ-ｂａｎｄ  ｐｈａｓｅ情報を含むことができる。
【０３４４】
このようにｚｅｒｏ  ａｍｐｌｉｔｕｄｅビームまたはｎｏｎ-ｚｅｒｏ  ａｍｐｌｉｔｕｄｅビームの数を表す因子をランクに対する他のパラメータと共に、または個別的にエンコードするか、またはビットマップを介して端末が基地局に知らせる方法の場合、ｒａｎｋ２に想定してｂｉｔ  ｗｉｄｔｈが決定されることができる。
【０３４５】
この場合、ＲＩは、端末が暗示的に基地局に知らせることができる。すなわち、ＲＩが「１」である場合、ｌａｙｅｒ  ２に該当する情報は、特定値（ｚｅｒｏ-ｐａｄｄｉｎｇ、特定ｓｔａｔｅ等）を表すようにして、ｌａｙｅｒ２が送られないことを意味できるようにして、基地局がｒａｎｋを暗示的に分かることができる。
【０３４６】
このような方法により共にエンコードされるＣＳＩは、図１０の（ａ）のようにＰａｒｔ  １とＰａｒｔ  ２に区分されることができる。
【０３４７】
このとき、各パートは、以下のようなパラメータが共にエンコードされることができる。
【０３４８】
Ｐａｒｔ  １：ＲＩ＋Ｎ＿ＲＰＩ０＋ＣＱＩ
Ｐａｒｔ  ２：ＰＭＩ＋ＲＰＩ
または
Ｐａｒｔ  １：ＲＩ＋Ｎ＿ＲＰＩ０＋ｗｉｄｅｂａｎｄ  ＣＱＩ
Ｐａｒｔ  ２：ＰＭＩ＋ＲＰＩ＋ｓｕｂ-ｂａｎｄ  ＣＱＩ
または
Ｐａｒｔ  １：ＲＩ＋Ｎ＿ＲＰＩ０
Ｐａｒｔ  ２：ＰＭＩ＋ＲＰＩ＋ＣＱＩ
【０３４９】
Ｐａｒｔ  １は、Ｐａｒｔ  ２の大きさを決定するために使用されることができる。すなわち、Ｐａｒｔ  １は、Ｐａｒｔ  ２の情報ビット数を識別するのに使用されることができ、Ｐａｒｔ  ２以前に全体が転送されることができる。
【０３５０】
言い換えれば、Ｐａｒｔ  １に含まれるパラメータ（または指示子）によってＰａｒｔ  ２のペイロードの大きさが決定されることができる。
【０３５１】
例えば、基地局は、Ｐａｒｔ  １に含まれるパラメータ（または指示子）を介してＰａｒｔ  ２のペイロードの大きさを認識できる。
【０３５２】
したがって、Ｐａｒｔ  １は、固定されたペイロードの大きさを有することができ、Ｐａｒｔ  ２は、Ｐａｒｔ  １の構成によってペイロードの大きさが変わることができる。
【０３５３】
ＣＳＩ  ｒｅｐｏｒｔｉｎｇは、図１０の（ａ）とは異なり、（ｂ）に示すように３個のｐａｒｔ（Ｐａｒｔ  １、Ｐａｒｔ  ２、及びＰａｒｔ  ３）に各々エンコードされることができる。
【０３５４】
Ｓｕｂ-ｂａｎｄ  ＣＱＩが共に報告される場合、ＣＱＩのペイロードは、４０ｂｉｔ（＃ｏｆ  ｓｕｂ-ｂａｎｄ＝１０、ＣＱＩ  ４ｂｉｔと仮定）で非常に大きくなるから、端末は、ＣＱＩをｗｉｄｅｂａｎｄ  ＣＱＩ、ｓｕｂ-ｂａｎｄ  ＣＱＩに分けて報告できる。
【０３５５】
この場合、ｗｉｄｅｂａｎｄ  ＣＱＩ及びｓｕｂ-ｂａｎｄ  ＣＱＩを共にＰａｒｔ  １に含めて報告する方法と比較して、Ｐａｒｔ  １をさらに保護することができ、Ｐａｒｔ  １の全体ペイロードを５ｂｉｔに設定して、ＵＣＩシンボルでのマッピングをさらに手軽く行われるようにすることができる。
【０３５６】
また、ｓｕｂ-ｂａｎｄ  ＣＱＩがＰａｒｔ  ２に共にエンコードされる場合、Ｐａｒｔ  ２及びＰａｒｔ  ３のペイロードの大きさを同一または類似するように維持できるから、ＵＣＩシンボルのマッピング時に便宜性を提供できる。
【０３５７】
また、ｓｕｂ-ｂａｎｄ  ＣＱＩがＰａｒｔ  ３に含まれる場合、Ｐａｒｔ  ２のペイロードの大きさが相対的に小さくなって、ｐｒｏｔｅｃｔｉｏｎ性能を向上させることができる。
【０３５８】
以下は、各パートに含まれてエンコードされるＣＳＩ  Ｒｅｐｏｒｔｉｎｇのパラメータ等の一例を表す。
【０３５９】
Ｐａｒｔ  １：ＲＩ＋ＣＱＩ（ｗｉｄｅｂａｎｄ）
Ｐａｒｔ  ２：ＲＰＩ＋ＣＱＩ（ｓｕｂ-ｂａｎｄ）
Ｐａｒｔ  ３：ＰＭＩ
または
Ｐａｒｔ  １：ＲＩ＋ＣＱＩ（ｗｉｄｅｂａｎｄ）
Ｐａｒｔ  ２：ＲＰＩ
Ｐａｒｔ  ３：ＰＭＩ＋ＣＱＩ（ｓｕｂ-ｂａｎｄ）
【０３６０】
ビーム形成ＣＳＩ-ＲＳ（ｂｅａｍｆｏｒｅｄ  ＣＳＩ-ＲＳ）のためのコードブックの場合、以下のようなＴｙｐｅ  ＩＩが設定されることができる。
【０３６１】
ＮＲは、以下の数式６のように、ｒａｎｋ  １及び２に対するＴｙｐｅ  ＩＩ  Ｃａｔ  １  ＣＳＩの拡張を支援できる。
【０３６２】
【数６】
2020150558.tif 000056
【０３６３】
数式６中、Ｘは、ＣＳＩ-ＲＳポートの数を表し、Ｌは、｛２，３，４｝で構成されることができる。
【０３６４】
Ｘの可能な値は、Ｔｙｐｅ  ＩＩ  ＳＰコードブックに従い、
2020150558.tif 000057
は、以下の数式７のとおりである。
【０３６５】
【数７】
2020150558.tif 000058
【０３６６】
数式７中、
2020150558.tif 000059
は、ｉ番目の要素が１で、残りは０である長さ
2020150558.tif 000060
であるベクトルを意味する。
【０３６７】
Ｐｏｒｔ  ｓｅｌｅｃｔｉｏｎ：ｍは｛０，１，．．．，
2020150558.tif 000061
｝の値を有することができ、ｍの計算及び報告は、ｗｉｄｅｂａｎｄ
2020150558.tif 000062
である。
【０３６８】
ｄ２の値は、
2020150558.tif 000063
及び
2020150558.tif 000064
の条件で｛１，２，３，４｝を含むことができる。
【０３６９】
Ａｍｐｌｉｔｕｄｅ ｓｃａｌｉｎｇ及びｐｈａｓｅ ｃｏｍｂｉｎｉｎｇ ｃｏｅｆｆｉｃｉｅｎｔｓは、Ｔｙｐｅ  ＩＩ  ＳＰコードブックによって構成されることができる。
【０３７０】
このような方式でｐｏｒｔ  ｓｅｌｅｃｔｉｏｎに対応するｍの値に対する最大ペイロードはＸ＝３２、ｄ＝１であるから、ペイロードは４ｂｉｔであり（仮に、独立的なｌａｙｅｒである場合、ＲＩが「２」で８ｂｉｔの値を有する）、これは構成されるＸ及びｄ値によって固定される値である。
【０３７１】
したがって、コードブックのＰＭＩは、ｍ値（ＰＭＩ＿ｍによって導き出された値）、ｗｉｄｅｂａｎｄ  ａｍｐｌｉｔｕｄｅ（ＲＰＩによって導き出された値）、ｓｕｂ-ｂａｎｄ及び／またはａｍｐｌｉｔｕｄｅ（ＰＭＩ  ２によって導き出された値）で表示されることができる。
【０３７２】
このような方法によるエンコード方法は、以下のとおりである。
【０３７３】
第１に、ＣＳＩ  Ｒｅｐｏｒｔｉｎｇは、図１０の（ｂ）に示すように、３個のパートから構成されることができる。ＰＭＩ＿ｍがレイヤーで共通的に使用される場合、Ｐａｒｔ  １は、ＲＩに影響を受けないＣＳＩで構成されることができ、以下の実施例１-１または１-２は、ｓｕｂ-ｂａｎｄ  ｒｅｐｏｒｔｉｎｇの場合、ＣＱＩのペイロードが大きくなるのを防止するためのエンコード方法である。
【０３７４】
実施例１-３は、ＰＭＩ＿ｍがレイヤーで共通的に使用され、Ｐａｒｔ  １のｐｒｏｔｅｃｔｉｏｎをさらに向上させようとする場合の実施例である。
【０３７５】
（実施例１）
【０３７６】
Ｐａｒｔ  １：ＲＩ＋ＰＭＩ＿ｍ＋ＣＱＩ
Ｐａｒｔ  ２：ＲＰＩ
Ｐａｒｔ  ３：ＰＭＩ  ２
【０３７７】
（実施例１-１）
【０３７８】
Ｐａｒｔ  １：ＲＩ＋ＰＭＩ＿ｍ＋ｗｉｄｅｂａｎｄ  ＣＱＩ
Ｐａｒｔ  ２：ＲＰＩ
Ｐａｒｔ  ３：ＰＭＩ  ２＋ｓｕｂ-ｂａｎｄ  ＣＱＩ
【０３７９】
（実施例１-２）
【０３８０】
Ｐａｒｔ  １：ＲＩ＋ＰＭＩ＿ｍ＋ｗｉｄｅｂａｎｄ  ＣＱＩ
Ｐａｒｔ  ２：ＲＰＩ＋ｓｕｂ-ｂａｎｄ  ＣＱＩ
Ｐａｒｔ  ３：ＰＭＩ  ２
【０３８１】
（実施例１-３）
【０３８２】
Ｐａｒｔ  １：ＲＩ＋ＰＭＩ＿ｍ
Ｐａｒｔ  ２：ＲＰＩ
Ｐａｒｔ  ３：ＰＭＩ  ２＋ＣＱＩ
【０３８３】
（実施例１-４）
【０３８４】
Ｐａｒｔ  １：ＲＩ＋ＰＭＩ＿ｍ
Ｐａｒｔ  ２：ＲＰＩ＋ｗｉｄｅｂａｎｄ  ＣＱＩ
Ｐａｒｔ  ３：ＰＭＩ  ２＋ｓｕｂ-ｂａｎｄ  ＣＱＩ
【０３８５】
以下の実施例２の場合、実施例１と同様に、ＣＳＩ  Ｒｅｐｏｒｔｉｎｇを３個のｐａｒｔから構成する方法の一例である。
【０３８６】
ＰＭＩ＿ｍの値がレイヤーに独立的な場合、またはＣＲＩがフィードバックされる場合、ＰＭＩ＿ｍの値はＲＩに影響を受けるためにＰａｒｔ  ２にＰＭＩ＿ｍの値をＰａｒｔ  ２に含めることができる。
【０３８７】
このとき、Ｐａｒｔ  １はＲＩに影響を受けないＣＳＩ炉構成されることができて、実施例２-１または２-２はｓｕｂ-ｂａｎｄ  ｒｅｐｏｒｔｉｎｇ市ＣＱＩのペイロードが大きくなるのを防止するためのエンコード方法である。実施例２-３はＲＩのＰｒｏｔｅｃｔｉｏｎを最大で向上させるためのエンコード方法である。
【０３８８】
（実施例２）
【０３８９】
Ｐａｒｔ  １：ＲＩ＋ＣＱＩ
Ｐａｒｔ  ２：ＲＰＩ＋ＰＭＩ＿ｍ（Ｗ１）
Ｐａｒｔ  ３：ＰＭＩ  ２（Ｗ２）
【０３９０】
（実施例２-１）
【０３９１】
Ｐａｒｔ  １：ＲＩ＋ｗｉｄｅｂａｎｄ  ＣＱＩ
Ｐａｒｔ  ２：ＲＰＩ＋ＰＭＩ＿ｍ（Ｗ１）＋ｓｕｂ-ｂａｎｄ  ＣＱＩ
Ｐａｒｔ  ３：ＰＭＩ  ２（Ｗ２）
【０３９２】
（実施例２-２）
【０３９３】
Ｐａｒｔ  １：ＲＩ＋ｗｉｄｅｂａｎｄ  ＣＱＩ
Ｐａｒｔ  ２：ＲＰＩ＋ＰＭＩ＿ｍ（Ｗ１）
Ｐａｒｔ  ３：ＰＭＩ  ２（Ｗ２）＋ｓｕｂ-ｂａｎｄ  ＣＱＩ
【０３９４】
（実施例２-３）
【０３９５】
Ｐａｒｔ  １：ＲＩ
Ｐａｒｔ  ２：ＲＰＩ＋ＰＭＩ＿ｍ（Ｗ１）
Ｐａｒｔ  ３：ＰＭＩ  ２（Ｗ２）＋ＣＱＩ
【０３９６】
実施例１及び２で説明したＣＳＩ  ｒｅｐｏｒｔｉｎｇを３とおりのパートで構成してエンコードする場合、複雑度が増加するから、図１０の（ａ）のようにＣＳＩ  ｒｅｐｏｒｔｉｎｇは、２とおりのパートで構成されて行われることができる。
【０３９７】
この場合、前で説明したＴｙｐｅ  ＩＩ  ＣＳＩ（ｎｏｎ-ｐｒｅｃｏｄｅｄ  ＣＳＩ-ＲＳ）と同様に、下記のように構成されることができる。
【０３９８】
実施例３の場合、順次にＰａｒｔ  １のＲＩがまずデコードされた後、残りのＣＳＩがデコードされることができる。
【０３９９】
実施例３-２の場合、ｗｉｄｅｂａｎｄ属性とｓｕｂ-ｂａｎｄ属性を区別して報告する方法に該当することができる。
【０４００】
（実施例３）
【０４０１】
Ｐａｒｔ  １：ＲＩ＋ＲＰＩ＋ＰＭＩ＿ｍ＋ＣＱＩ
Ｐａｒｔ  ２：ＰＭＩ
【０４０２】
（実施例３-１）
【０４０３】
Ｐａｒｔ  １：ＲＩ＋ＲＰＩ＋ＰＭＩ＿ｍ＋ｗｉｄｅｂａｎｄ  ＣＱＩ
Ｐａｒｔ  ２：ＰＭＩ  ２＋ｓｕｂ-ｂａｎｄ  ＣＱＩ
【０４０４】
（実施例３-２）
【０４０５】
Ｐａｒｔ  １：ＲＩ＋ＲＰＩ＋ＰＭＩ＿ｍ
Ｐａｒｔ  ２：ＲＰＩ＋ＣＱＩ
【０４０６】
以下の実施例４は、前で説明したＮ＿ＲＰＩ０を利用する場合のＣＳＩ  ｒｅｐｏｒｔｉｎｇ方法の一例を示す。
【０４０７】
（実施例４）
【０４０８】
Ｐａｒｔ  １：ＲＩ＋Ｎ＿ＲＰＩ０＋ＰＭＩ＿ｍ＋ＣＱＩ
Ｐａｒｔ  ２：ＰＭＩ＋ＲＰＩ
【０４０９】
（実施例４-１）
【０４１０】
Ｐａｒｔ  １：ＲＩ＋Ｎ＿ＲＰＩ０＋ＣＱＩ
Ｐａｒｔ  ２：ＰＭＩ＋ＲＰＩ＋ＰＭＩ＿ｍ
【０４１１】
（実施例４-２）
【０４１２】
Ｐａｒｔ  １：ＲＩ＋Ｎ＿ＲＰＩ０
Ｐａｒｔ  ２：ＰＭＩ＋ＲＰＩ＋ＰＭＩ＿ｍ＋ＣＱＩ
【０４１３】
（実施例４-３）
【０４１４】
Ｐａｒｔ  １：ＲＩ＋Ｎ＿ＲＰＩ０＋ｗｉｄｅｂａｎｄ  ＣＱＩ
Ｐａｒｔ  ２：ＰＭＩ＋ＲＰＩ＋ＰＭＩ＿ｍ＋ｓｕｂ-ｂａｎｄ  ＣＱＩ
【０４１５】
仮に、多重ＣＳＩ-ＲＳ資源が構成される場合、ＲＩとＣＲＩは、共にエンコードされることができる。すなわち、Ｐｒｏｐｏｓａｌ  １、２、３においてＰａｒｔ  １に追加的にＣＲＩが共にエンコードされることができる。
【０４１６】
例えば、実施例２、実施例４-１は、下記のように実施例２’及び実施例４-１’のように構成されることができる。
【０４１７】
（実施例２’）
【０４１８】
Ｐａｒｔ  １：ＣＩＲ＋ＲＩ＋ＣＱＩ
Ｐａｒｔ  ２：ＲＰＩ＋ＰＭＩ＿ｍ（Ｗ１）
Ｐａｒｔ  ３：ＰＭＩ  ２（Ｗ２）
【０４１９】
（実施例４-１’）
【０４２０】
Ｐａｒｔ  １：ＣＲＩ＋ＲＩ＋Ｎ＿ＲＰＩ０＋ＣＱＩ
Ｐａｒｔ  ２：ＰＭＩ＋ＲＰＩ＋ＰＭＩ＿ｍ
【０４２１】
Ｔｙｐｅ  Ｉ  ＣＳＩでのＰＵＳＣＨ基盤のＣＳＩ  Ｒｅｐｏｒｔｉｎｇの場合、以下のような実施例が適用されることができる。
【０４２２】
＜Ｏｐｔｉｏｎ  １＞
【０４２３】
Ｐａｒｔ  １：ＲＩ／ＣＲＩ、第１番目のコードワードに対するＣＱＩ
Ｐａｒｔ  ２：ＰＭＩ、第２番目のコードワードに対するＣＱＩ
【０４２４】
＜Ｏｐｔｉｏｎ  ２＞
【０４２５】
Ｐａｒｔ  １：ＲＩ／ＣＲＩ、第１番目のコードワードに対するｗｉｄｅｂａｎｄ  ＣＱＩ
Ｐａｒｔ  ２：ＰＭＩ、第１番目のコードワード及びＣＱＩのための第２番目のコードワードに対するｓｕｂ-ｂａｎｄ  ＣＱＩ
【０４２６】
前で説明した実施例またはｏｐｔｉｏｎのうち、どんな方法を使用してＣＳＩ-ｒｅｐｏｒｔｉｎｇを行うかどうかは、上位階層を介して構成されることができる。
【０４２７】
または、特定アンテナポートの数またはコードブックタイプ（例えば、Ｔｙｐｅ  ＩまたはＩＩ及び／または単一パネルまたはマルチパネル認知であるかどうか）に応じて暗示的に決定されることができる。
【０４２８】
このようにＣＳＩ-Ｒｅｐｏｒｔｉｎｇをパート１及びパート２に区別する場合、Ｐａｒｔ  １に含まれるＣＳＩのペイロードが増加できる。例えば、ＬＴＥシステムにおいてＰａｒｔ  １はＲＩ、Ｐａｒｔ  ２はＰＭＩ＋ＣＱＩを含んでいる。
【０４２９】
この場合、端末は、Ｔｙｐｅ  Ｉ  ＣＳＩ、ｓｕｂ-ｂａｎｄ  ＣＳＩ  ｒｅｐｏｒｔｉｎｇ、＃ｏｆ  ｓｕｂ-ｂａｎｄ＝１０、４ｂｉｔ  ＣＱＩ、Ｘ＝３２ｐｏｒｔ、コードブック構成は「２」で、基地局によって設定され（ＲＩが４より小さいか、または同じである場合、コードワード１（ＮＲコードワードに対する階層マッピング仮定））、ＲＩの値が１と報告された場合、Ｗ１＝６ｂｉｔ、Ｗ２＝４ｂｉｔでペイロードの総大きさは、Ｐａｒｔ  １は３ｂｉｔ、Ｐａｒｔ  ２は、６（Ｗ１）＋４（ｗｉｄｅｂａｎｄ  ＣＱＩ）１０＊（４（Ｗ２）＋２（ｓｕｂ-ｂａｎｄ  ＣＱＵ）であるから、７０ｂｉｔと計算されることができる。
【０４３０】
ＲＩが「３」である場合、Ｐａｒｔ  １は３ｂｉｔで、Ｐａｒｔ  ２は９（Ｗ１）、４（ｗｉｄｅｂａｎｄ  ＣＱＩ）＋１０＊（１（Ｗ２）＋２（ｓｕｂ-ｂａｎｄ  ＣＱＩ）である４３ｂｉｔになることができる。
【０４３１】
しかしながら、下記のようにパート１及びパート２にＣＳＩ-ｒｅｐｏｒｔｉｎｇが行われる場合、各パートは、下記のように構成されることができる。
【０４３２】
Ｐａｒｔ  １：ＲＩ／ＣＲＩ、第１番目のコードワードに対するＣＱＩ
Ｐａｒｔ  ２：ＰＭＩ
【０４３３】
この場合、ＲＩの値が「１」であると、Ｐａｒｔ  １は３ｂｉｔ、４ｂｉｔ及び２０ｂｉｔの和である２７ｂｉｔになることができ、Ｐａｒｔ  ２は、６ｂｉｔ及び４０ｂｉｔの和である４６ｂｉｔになることができる。
【０４３４】
ＲＩが「３」である場合には、Ｐａｒｔ  １は２７ｂｉｔ、Ｐａｒｔ  ２は９ｂｉｔ及び１０ｂｉｔの和である１９ｂｉｔになることができる。
【０４３５】
以下の表９は、ＲＩ値に応じる各パートのｂｉｔ数の一例を表す。
【０４３６】
【表９】
2020150558.tif 000065
【０４３７】
表９においてＰＵＳＣＨ転送の際、ＵＣＩ  ｏｎｌｙの場合、Ｐａｒｔ  １が占めるｃｏｄｅｄ  ｓｙｍｂｏｌ（Ｑ’）は、以下の数式８によって計算されることができる。
【０４３８】
【数８】
2020150558.tif 000066
【０４３９】
数式８中、Ｏは、ＨＡＲＱ-ＡＣＫビットの数、またはランク指示子のビットの数を意味し、
2020150558.tif 000067
は、非周期的ＣＳＩ  Ｒｅｐｏｒｔｉｎｇがトリガーされるためのすべてのサービングセルのｒａｎｋが１と仮定されるＣＲＣ  ｂｉｔを含むＣＱＩビットの数を意味する。
【０４４０】
2020150558.tif 000068
は、サブキャリアの数のように表現される現在サブフレームにおいてＰＵＳＣＨ転送のためにスケジュールされたｂａｎｄｗｉｄｔｈを表し、
2020150558.tif 000069
は、以下の数式９によって与えられた現在ＰＵＳＣＨ転送サブフレームにおいて、ＳＣ-ＦＤＭＡシンボルの数を表す。
【０４４１】
【数９】
2020150558.tif 000070
【０４４２】
数式９中、
2020150558.tif 000071
は、以下のような場合に「１」の値を有する。
【０４４３】
-ＵＥが現在サブフレームに対して同じサブフレームにおいてＰＵＳＣＨ及びＳＰＳを転送するために構成される場合
【０４４４】
-現在サブフレームに対するＰＵＳＣＨ資源割り当てがセル特定ＳＲＳサブフレーム及び帯域幅構成と部分的に重なる場合
【０４４５】
-現在サブフレームがＵＥ-ｓｐｅｃｉｆｉｃ  ｔｙｐｅ-１  ＳＲＳサブフレームイン場合
【０４４６】
-現在サブフレームがＵＥ-ｓｐｅｃｉｆｉｃ  ｔｙｐｅ-０  ＳＲＳサブフレームであり、ＵＥが多数のＴＡＧから構成される場合
【０４４７】
この他の場合に、
2020150558.tif 000072
は、「０」の値を有する。
【０４４８】
数式８は、以下の数式１０のようにａｐｐｒｏｘｉｍａｔｉｏｎされることができ、全体ＰＵＳＣＨに割り当てられた資源要素のうち、パート１のｃｏｄｅｄ  ｓｙｍｂｏｌが占める領域は、Ｐａｒｔ  １とｒａｎｋ  １の仮定下にＰａｒｔ  ２のｂｉｔ（例えば、７０ｂｉｔ）の整数倍の割合で表現されることができる。
【０４４９】
【数１０】
2020150558.tif 000073
【０４５０】
Ｐａｒｔ  １のｂｉｔ数が増加するほど、割り当てられるｃｏｄｅｄ  ｓｙｍｂｏｌが増加し、これに対するＰＵＳＣＨの転送パワーも増加してこそｔａｒｇｅｔ  ＢＬＥＲ（例えば、０．１）を満足させることができる。
【０４５１】
しかしながら、これはアップリンク干渉を発生させて、全体システムの性能を減少させうるから、Ｐａｒｔ  １は少ないｂｉｔ数が割り当てられて設計されることができる。また、Ｐａｒｔ  １によってＰａｒｔ  ２のペイロードの大きさが決定されうるから、以下のような方法によりＰａｒｔ  １のｒｅｌｉａｂｉｌｉｔｙを向上させることができる。
【０４５２】
数式９中、資源マッピングのためのパラメータ
2020150558.tif 000074
は、Ｐａｒｔ  １のｒｅｌｉａｂｉｌｉｔｙの向上のために
2020150558.tif 000075
で表現されることができる。
【０４５３】
このとき、
2020150558.tif 000076
は、Ｐａｒｔ  １のビット数を表し、
2020150558.tif 000077
は、Ｐａｒｔ  ２のビット数を表す（ＣＲＣを含むことができる）。
【０４５４】
この場合、ｒａｎｋに応じてペイロードの大きさ変化が大きくなるから、
2020150558.tif 000078
である場合、Ｐａｒｔ  １に対するｐｒｏｔｅｃｔｉｏｎが難しくなりえ、
2020150558.tif 000079
と
2020150558.tif 000080
との間の割合が１より大きくなることができるから、
2020150558.tif 000081
の値が１より小さな正の実数を持たない限り、資源割り当てが混雑になることができる。
【０４５５】
これを解決するためには、
2020150558.tif 000082
は
2020150558.tif 000083
に変更されることができる。このとき、
2020150558.tif 000084
は、
2020150558.tif 000085
の最小値、最大値またはｒａｎｋ  １を仮定した
2020150558.tif 000086
の値でありうる。
【０４５６】
このとき、
2020150558.tif 000087
の最小値、最大値は、ｒａｎｋに応じるＰａｒｔ  ２のペイロードの大きさの最小値、最小値を表すことができる。
【０４５７】
本発明のさらに他の実施例として、Ｔｙｐｅ  ＩＩの場合、特定Ｐａｒｔ  １が周期的に転送されることができる。これは、基地局がＰＵＳＣＨに基づいたＣＳＩ  ｒｅｐｏｒｔｉｎｇを行う場合、基地局は、端末のｒａｎｋを最も最近に受信した周期的報告によるＰａｒｔ  １の情報（Ｔｙｐｅ  Ｉの場合もハイブリッド報告を利用できる）を予め推定して、ＰＵＳＣＨ転送のための資源を割り当てることができる。
【０４５８】
したがって、基地局が予め各ＣＳＩのＰａｒｔが占有する資源の割合を上位階層シグナリング（例えば、ＭＡＣ  ＣＥまたはＲＲＣなどの情報を利用）を介して端末に知らせることができる。
【０４５９】
基地局がＤＣＩを介して資源の割合を知らせる場合、ＣＳＩ要請フィールドに含まれて指示される他の情報と共にエンコードされて、資源の割合が指示されることができる。
【０４６０】
このような方法によりＣＳＩが転送されるＰＵＳＣＨのｃｏｎｔａｉｎｅｒ  ｓｉｚｅが充分でない場合に発生できるＣＳＩ  ｏｍｉｓｓｉｏｎなどの状況も基地局が予め予測して反映できるという効果がある。
【０４６１】
または、基地局が
2020150558.tif 000088
の値中、
2020150558.tif 000089
の値を端末に知らせるか、または
2020150558.tif 000090
の値が周期的ｒｅｐｏｒｔｉｎｇのＲＩ値によって指示されるＲＩを最大ＲＩと想定して、最大ＲＩ値以下の値のうち、ペイロードを最も多く（または最も少なく）占めるｒａｎｋに対応する値として計算されることができる。
【０４６２】
本発明のさらに他の実施例として、以下のようにＣＳＩ  Ｒｅｐｏｒｔｉｎｇのための転送方法を提案する。
【０４６３】
＜Ｐｒｏｐｏｓａｌ  ４＞
【０４６４】
ＣＳＩ  ＲｅｐｏｒｔｉｎｇのためのＰａｒｔは、各Ｐａｒｔ別にモジュレーション順序（ｍｏｄｕｌａｔｉｏｎ  ｏｒｄｅｒ）及び／またはコーディング率（ｃｏｄｉｎｇ  ｒａｔｅ）を異なるようにしてエンコードされることができる。
【０４６５】
具体的に、各Ｐａｒｔ別にペイロードの大きさが特定大きさ（例えば、１１ｂｉｔ）以上である場合、特定長（例えば、８ｂｉｔ）のＣＲＣ  ｂｉｔが挿入されて、デコードに成功したかどうかを確認することができる。
【０４６６】
または、固定的にすべてのＰａｒｔは、ＣＲＣ  ｂｉｔが挿入されて転送されることができ、ＣＲＣ  ｂｉｔの長さは、各Ｐａｒｔ別に異なることができる。
【０４６７】
例えば、ＣＲＣ  ｂｉｔは、Ｐａｒｔ  ２よりＰａｒｔ  １がより大きく設定されてｒｅｌｉａｂｉｌｉｔｙを増加させることができる。
【０４６８】
また、Ｐａｒｔ  １は、ＱＰＳＫモジュレーション、Ｐａｒｔ  ２は、１６ＱＡＭモジュレーションが利用されてマッピングされることができる。
【０４６９】
＜Ｐｒｏｐｏｓａｌ  ５＞
【０４７０】
ＣＳＩ  Ｒｅｐｏｒｔｉｎｇのための各Ｐａｒｔは、各々転送パワーが異なるように設定されることができる。
【０４７１】
すなわち、ＣＰ-ＯＦＤＭの場合、各Ｐａｒｔがマッピングされる資源要素別に転送パワーを異なるように設定して転送することによって、ｒｅｌｉａｂｉｌｉｔｙを向上させることができる。
【０４７２】
＜Ｐｒｏｐｏｓａｌ６＞
【０４７３】
Ｐａｒｔ  １のＲＩ及び／またはＰａｒｔ  ２のＲＰＩは、特定ｂｉｔ数で繰り返して転送されることができる。
【０４７４】
すなわち、共にエンコードされる他のＣＳＩパラメータは、繰り返し転送されずに単一転送されるが、ＲＩ及び／またはＲＰＩは、同じ値が繰り返し転送されるようにエンコードされることができる。
【０４７５】
例えば、Ｔｙｐｅ  ＩＩのＲＩは１ｂｉｔであるが、ＲＩは、常に３ｂｉｔで転送されるように設定される場合、同じ３個のＲＩ値がＰａｒｔ  １に含まれて、他のＣＳＩ  Ｒｅｐｏｒｔｉｎｇのためのパラメータと共にエンコードされて転送されることによって、ｒｅｌｉａｂｉｌｉｔｙを向上させることができる。
【０４７６】
Ｐｒｏｐｏｓａｌ４-６で従来のＬＴＥ方式に従ってＰａｒｔ  １及びＰａｒｔ  ２のｃｏｄｅｄ  ｉｎｆｏｒｍａｔｉｏｎ  ｓｉｚｅを決定し、パワー制御（Ｐｏｗｅｒ  Ｃｏｎｔｒｏｌ）の場合にも、以下の数式１１のように、Ｐａｒｔ  ２  ｂｉｔ／全体資源要素の割合で与えられることができる。
【０４７７】
【数１１】
2020150558.tif 000091
【０４７８】
この場合、前で提案したＯｐｔｉｏｎ  ２を使用する場合、ＲＩが「１」である場合とＲＩが「３」である場合のペイロードを比較すると、ＲＩ値に応じてＰａｒｔ  ２が急激に変わることができるために、ＲＩが「３」である場合、Ｐａｒｔ  １のＣＳＩのデコード能力が大きく低下できる。
【０４７９】
したがって、Ｏｐｔｉｏｎ  ２のようにＰａｒｔ  １とＰａｒｔ  ２のペイロードの大きさの割合が大きく差の生じない方法を使用する場合、以下の数式１２のように端末のアップリンクパワー制御をＰａｒｔ  １及びＰａｒｔ  ２のうち、ペイロードの大きさが大きなＰａｒｔのペイロードの大きさと全体転送ＲＥとの割合で構成できる。
【０４８０】
【数１２】
2020150558.tif 000092
【０４８１】
Ｔｙｐｅ  ＩＩのＣＳＩの場合、ＰＭＩが含まれるＰａｒｔのペイロードが最も大きいから、ＣＳＩ  Ｒｅｐｏｒｔｉｎｇが２個のＰａｒｔから構成される場合、
2020150558.tif 000093
になることができ、３個のＰａｒｔから構成される場合、
2020150558.tif 000094
になることができる。
【０４８２】
本発明のさらに他の実施例として、ＢＰＲＥは、以下の数式１３のように構成されることができる。
【０４８３】
【数１３】
2020150558.tif 000095
【０４８４】
数式１３の場合、Ｏｐｔｉｏｎ  ２において
2020150558.tif 000096
は、４６ｂｉｔにＣＲＣ  ｂｉｔが合わせられた値になることができる。
【０４８５】
本発明のさらに他の実施例として、ＢＰＲＥは、以下の数式１４のように構成されることができる。
【０４８６】
【数１４】
2020150558.tif 000097
【０４８７】
数式１４の場合、Ｏｐｔｉｏｎ  ２において
2020150558.tif 000098
は、１９ｂｉｔにＣＲＣ  ｂｉｔが合わせられた値になることができる。
【０４８８】
本発明のさらに他の実施例として、ＢＰＲＥは、以下の数式１５のように構成されることができる。
【０４８９】
【数１５】
2020150558.tif 000099
【０４９０】
数式１５の場合、Ｏｐｔｉｏｎ  ２において
2020150558.tif 000100
は、７３ｂｉｔにＣＲＣ  ｂｉｔが合わせられた値になることができる。または、特定ランク（例えば、ｒ＝１）に予め設定されることができる。
【０４９１】
本発明のさらに他の実施例として、ＢＰＲＥは、以下の数式１６のように構成されることができる。
【０４９２】
【数１６】
2020150558.tif 000101
【０４９３】
数式１６の場合、Ｏｐｔｉｏｎ  ２において
2020150558.tif 000102
は、４６ｂｉｔにＣＲＣ  ｂｉｔが合わせられた値になることができる。または特定ランク（例えば、ｒ＝１）に予め設定されることができる。
【０４９４】
このような実施例において
2020150558.tif 000103
の値は、一部ＣＳＩパラメータが省略される場合（例えば、特定ｓｕｂ-ｂａｎｄのＰＭＩ等）、ＣＳＩ  ｏｍｉｓｓｉｏｎが反映された後に計算されるペイロードの大きさとして適用されることができる。すなわち、実際転送されるＣＳＩのペイロードの大きさとして計算されなければならない。
【０４９５】
このような方法を利用する場合、ＲＩに応じて可変的になるＰａｒｔ  ２及び／またはＰａｒｔ  ３のＣＳＩによって、Ｐａｒｔ  １のデコード性能が熱化するのを防止できる。
【０４９６】
本発明のさらに他の実施例として、ＰＵＳＣＨにｐｉｇｇｙ-ｂａｃｋされるＵＣＩシンボルから転送されるＣＳＩ  Ｒｅｐｏｒｔｉｎｇのためのパラメータは、前で述べたように、二つまたは三つのパートに区分されて、各パートに含まれたパラメータは、共にエンコードされることができる。
【０４９７】
ＰＵＳＣＨ転送の場合、ＣＳＩ  Ｒｅｐｏｒｔｉｎｇのためのパラメータだけでなく、Ａｃｋ／Ｎａｃｋ情報が含まれて転送されるか、ＣＳＩ  Ｒｅｐｏｒｔｉｎｇのためのパラメータだけが含まれて転送されることができる。
【０４９８】
ＣＳＩ  Ｒｅｐｏｒｔｉｎｇのためのパラメータだけが転送される場合、Ｐａｒｔ  １、Ｐａｒｔ  ２、Ｐａｒｔ  ３の順にＣＳＩ  Ｒｅｐｏｒｔｉｎｇのための重要度（または優先順位）が高く、重要度が高い順序に従って復調参照信号（Ｄｅｍｏｄｕｌａｔｉｏｎ  Ｒｅｆｅｒｅｎｃｅ  ｓｉｇｎａｌ：ＤＭＲＳ）がマッピングされるシンボルの周囲にマッピングされることができる。
【０４９９】
ＤＭＲＳは、マッピングされるシンボルの位置に応じて、ｆｒｏｎ-ｌｏａｄｅｄ  ＤＭＲＳ及びａｄｄｉｔｉｏｎａｌ  ＤＭＲＳと呼ばれることができる。
【０５００】
具体的に、速いデコードのために、スロットの前のほうのシンボルに位置するＤＭＲＳは、ｆｒｏｎｔ-ｌｏａｄｅｄ  ＤＭＲＳと呼ばれることができ、チャネル補償のために追加的に設定されるＤＭＲＳは、ａｄｄｉｔｉｏｎａｌ  ＤＭＲＳと呼ばれることができる。
【０５０１】
このとき、ａｄｄｉｔｉｏｎａｌ  ＤＭＲＳは、選択的にシンボルにマッピングされることができる。
【０５０２】
ＣＳＩ  Ｒｅｐｏｒｔｉｎｇのためのパラメータは、４通りの方法によってマッピングされることができる。
【０５０３】
第１に、ＣＳＩ  Ｒｅｐｏｒｔｉｎｇが二つのパートに分けられて行われる場合、Ｐａｒｔ  １は、ｆｒｏｎｔ-ｌｏａｄｅｄ  ＤＭＲＳの近くのシンボルにマッピングされることができ、Ｐａｒｔ  ２は、ａｄｄｉｔｉｏｎａｌ  ＤＭＲＳが構成される場合、ａｄｄｉｔｉｏｎａｌ  ＤＭＲＳがマッピングされるシンボルの近くのシンボルにマッピングされることができる。
【０５０４】
具体的に、Ｐａｒｔ  １は、ｆｒｏｎｔ-ｌｏａｄｅｄ  ＤＭＲＳがマッピングされるシンボルのインデックスが増加する方向へ、順次に次のシンボルにマッピングされることができる。
【０５０５】
例えば、ｆｒｏｎｔ-ｌｏａｄｅｄ  ＤＭＲＳが第３、４番目のシンボルにマッピングされて転送される場合、Ｐａｒｔ  １がｐｉｇｇｙ-ｂａｃｋされるＵＣＩシンボルは、第５、６番目のシンボルにマッピングされることができる。
【０５０６】
Ｐａｒｔ  ２は、ａｄｄｉｔｉｏｎａｌ  ＤＭＲＳが一つ以上のシンボルにマッピングされて存在する場合、ａｄｄｉｔｉｏｎａｌ  ＤＭＲＳがマッピングされたシンボルの両側のシンボルにマッピングされることができる。
【０５０７】
例えば、ａｄｄｉｔｉｏｎａｌ  ＤＭＲＳが第１０番目のシンボルにマッピングされて転送される場合、Ｐａｒｔ  ２は、順次に第９、１１、８、１２番目のシンボルにマッピングされるか、またはインデックスが増加する方向である第１１、１２．．番目のシンボルにマッピングされることができる。
【０５０８】
マッピングされる時、他のパートと衝突が発生する場合、重要度（または優先順位）の高いパートが優先的にマッピングされることができ、重要度の低いパートは、その次の候補シンボルにマッピングされることができる。
【０５０９】
Ｐａｒｔ  ３は、ａｄｄｉｔｉｏｎａｌ  ＤＭＲＳが二つ以上のシンボルにマッピングされる場合、二つ以上のシンボルを基準に両側のシンボルに順にマッピングされることができる。
【０５１０】
仮に、ａｄｄｉｔｉｏｎａｌ  ＤＭＲＳが構成されないか、またはａｄｄｉｔｉｏｎ  ＤＭＲＳが単一個のシンボルにマッピングされる場合、優先順位の高いｐａｒｔがマッピングされたシンボルの次のシンボルに順にマッピングされることができる。
【０５１１】
Ｐａｒｔ  ２がマルチスロットにわたって転送される場合、ＵＣＩシンボルにｐｉｇｇｙ  ｂａｃｋされるＣＳＩのＰａｒｔ  １は、必ずＵＣＩシンボルに転送されるマルチスロットのうち、第１番目のスロット中に転送されることができる。
【０５１２】
すなわち、Ｐａｒｔ  １は、マルチスロットに分けられてマッピングされることができない。
【０５１３】
第２に、インデックスの低いｐａｒｔ（重要度の高いｐａｒｔ）順にｆｒｏｎｔ-ｌｏａｄｅｄ  ＤＭＲＳ及びａｄｄｉｔｉｏｎａｌ  ＤＭＲＳ（構成される場合）がマッピングされるシンボルの次のシンボルにマッピングされた後、ｉｎｄｅｘの高いｐａｒｔがマッピングされることができる。
【０５１４】
例えば、ｆｒｏｎｔ-ｌｏａｄｅｄ  ＤＭＲＳが第３番目のシンボルにマッピングされて転送され、ａｄｄｉｔｉｏｎａｌ  ＤＭＲＳが第７、１０番目のシンボルにマッピングされて転送され、二つのｐａｒｔから構成されたＣＳＩ  Ｒｅｐｏｒｔｉｎｇのためのパラメータの各々がＵＣＩシンボルを３個ずつ占有する場合、Ｐａｒｔ  １は、第４、６、８番目のシンボルにマッピングされることができ、Ｐａｒｔ  ２は、第９、１１、５番目のシンボルにマッピングされることができる。
【０５１５】
Ａｄｄｉｔｉｏｎａｌ  ＤＭＲＳが構成されない場合、Ｐａｒｔ  １は、第４、５、６番目のシンボルにマッピングされ、Ｐａｒｔ  ２は、第７、８、９番目のシンボルにマッピングされて転送されることができる。
【０５１６】
この場合、Ｐａｒｔ  １が特定シンボル内（例えば、１ｓｙｍｂｏｌ）にマッピングされる場合、Ｐａｒｔ  １のｐｒｏｔｅｃｔｉｏｎを増加させるために、Ｐａｒｔ  １はすべてのＤＭＲＳ（ｆｒｏｎｔ-ｌｏａｄｅｄ  ＤＭＲＳ及びａｄｄｉｔｉｏｎａｌ  ＤＭＲＳ）近くのシンボルにマッピングされて転送されることができる。すなわち、ａｄｄｉｔｉｏｎａｌ  ＤＭＲＳが構成される場合、Ｐａｒｔ  １は、繰り返し転送されることができ、Ｐａｒｔ  ２及び／またはＰａｒｔ  ３は、一回のみ転送されることができる。
【０５１７】
第３に、第２のようにＰａｒｔ  １が繰り返し転送されるか、またはａｄｄｉｔｉｏｎａｌ  ＤＭＲＳが構成される場合は、高いドップラー環境でデコード性能が劣化できる。
【０５１８】
したがって、ａｄｄｉｔｉｏｎａｌ  ＤＭＲＳが設定される場合、コーディング率を下げて転送できる。
【０５１９】
特に、Ｐａｒｔ  １のｐｒｏｔｅｃｔｉｏｎのために、Ｐａｒｔ  １に含まれたパラメータのみが低いコーディング率で転送されることができる。
【０５２０】
第４に、ＣＳＩデコードを速く処理してダウンリンクｇｒａｎｔを端末に速く下ろしてあげるために、ＣＳＩ  Ｒｅｐｏｒｔｉｎｇのためのパラメータがマッピングされるシンボルは、ｆｒｏｎｔ-ｌｏａｄ  ＤＭＲＳがマッピングされるシンボルの次のシンボルから順次にマッピングされることができる。
【０５２１】
すなわち、ＣＳＩ  Ｒｅｐｏｒｔｉｎｇのための各ｐａｒｔは、優先順位に応じてｆｒｏｎｔ-ｌｏａｄ  ＤＭＲＳがマッピングされるシンボルの次のシンボルから順次にマッピングされることができる。
【０５２２】
例えば、ｆｒｏｎｔ-ｌｏａｄｅｄ  ＤＭＲＳが第３番目のシンボルにマッピングされて転送され、制御チャネルが第０、１、２番目のシンボルにマッピングされる場合、ＣＳＩ  Ｒｅｐｏｒｔｉｎｇのためのパラメータは、第４番目のシンボルから順次にマッピングされることができる。
【０５２３】
または、制御チャネルが第０、１番目のシンボルにマッピングされる場合、ＣＳＩ  Ｒｅｐｏｒｔｉｎｇのためのパラメータは、第２、４、５番目のシンボルの順に順次にマッピングされることができる。
【０５２４】
このようなエンコード方法を利用する場合、Ｐａｒｔ  １に対応するエンコード方法は、ｒｅｌｉａｂｉｌｔｉｙを向上させるために、転送されるすべての階層で転送が行われることができ、Ｐａｒｔ  ２及び／またはＰａｒｔ  ３は、特定レイヤー（例えば、レイヤー１、２）においてのみ転送が行われるように設定されることができる。
【０５２５】
これを通じて、ペイロードでＰＭＩが占める大きさが大きいから、データとＵＣＩが多重化される場合、データのスループットを向上させることができる。
【０５２６】
仮に、上で説明した方法によりＣＳＩ  Ｒｅｐｏｒｔｉｎｇのためのパラメータをマッピングする場合、重要度によってＰａｒｔ  １はＰａｒｔ  ２に優先することができる。
【０５２７】
この場合、Ｐａｒｔ  ２のペイロードの大きさがあまり大きいから、一つのスロットで転送が不可能な場合、ＣＳＩ  ＲｅｐｏｒｔｉｎｇのためのＰａｒｔ  ２の一部パラメータ（例えば、ＰＭＩ等）がドラップされることができる。
【０５２８】
図１１は、本明細書で提案するＣＳＩ報告方法の一例を示すフローチャートである。
【０５２９】
図１１を参照すると、端末は基地局からＣＳＩと関連した構成情報を受信する（Ｓ１１０１０）。端末は、構成情報を介して報告方法、報告するパラメータなどを認識できる。
【０５３０】
以後、端末は、構成情報に基づいてＣＳＩを測定し、測定されたＣＳＩを基地局に報告できる（Ｓ１１０２０、Ｓ１１０３０）。
【０５３１】
ＣＳＩ報告は、図９及び図１０で説明したように、二つまたは三つのパートに分けられて行われることができる。
【０５３２】
すなわち、ＣＳＩが第１パート及び第２パートから構成されるか、または第１パートないし第３パートから構成される場合、各パートは、図１０で説明したｐｒｏｐｏｓａｌ  １ないし３、実施例１ないし４、またはＯｐｔｉｏｎ  １及び２のように構成されることができる。
【０５３３】
例えば、ＣＳＩが第１パート及び第２パートから構成される場合、第１パートは、ランク指示子（Ｒａｎｋ  ｉｎｄｉｃａｔｏｒ：ＲＩ）、チャネル品質指示子（ｃｈａｎｎｅｌ  ｑｕａｌｉｔｙ  ｉｎｄｉｃａｔｏｒ：ＣＱＩ）及び０でない振幅を有するビームの個数を表す指示子を含むことができ、第２パートは、プリコーディング行列指示子（Ｐｒｅｃｏｄｉｎｇ  ｍａｔｒｉｘ  ｉｎｄｉｃａｔｏｒ：ＰＭＩ）を含むことができる。
【０５３４】
また、ＣＳＩ  Ｒｅｐｏｒｔｉｎｇのための各パートは、前で説明したように優先順位に応じてＤＭＲＳがマッピングされるシンボルの次のシンボルからマッピングされて転送されることができる。
【０５３５】
本発明のさらに他の実施例として、ＰＵＳＣＨ転送の際、Ａｃｋ／Ｎａｃｋ情報が含まれる場合、Ａｃｋ／Ｎａｃｋ情報は、ＣＳＩ  Ｒｅｐｏｒｔｉｎｇのためのパラメータより優先してシンボルにマッピングされることができる。
【０５３６】
例えば、ＰＵＳＣＨ転送の際、Ａｃｋ／Ｎａｃｋ情報が含まれる場合、Ａｃｋ／Ｎａｃｋ情報は、優先順位が最も高いＰａｒｔ  １より優先してシンボルにマッピングされて転送されることができる。
【０５３７】
本発明が適用されることができる装置一般
【０５３８】
図１２は、本明細書で提案する方法が適用されることができる無線通信装置のブロック構成図を例示する。
【０５３９】
図１２を参照すると、無線通信システムは、基地局１２１０と、基地局１２１０の領域内に位置した多数の端末１２２０とを含む。
【０５４０】
前記基地局と端末は、各々無線装置で表現されることができる。
【０５４１】
基地局１２１０は、プロセッサ（ｐｒｏｃｅｓｓｏｒ）１２１１、メモリ（ｍｅｍｏｒｙ）１２１２及びＲＦモジュール（ｒａｄｉｏ  Ｆｒｅｑｕｅｎｃｙ  ｍｏｄｕｌｅ）１２１３を含む。プロセッサ１２１１は、先の図１ないし図１２で提案された機能、過程及び／または方法を具現する。無線インターフェスプロトコルの階層は、プロセッサにより具現化されることができる。メモリ１２１２は、プロセッサに接続されて、プロセッサを駆動するための多様な情報を格納する。ＲＦモジュール１２１３は、プロセッサに接続されて、無線信号を送信及び／または受信する。
【０５４２】
端末１２２０は、プロセッサ１２２１、メモリ１２２２及びＲＦモジュール１２２３を含む。
【０５４３】
プロセッサ１２２１は、先の図１ないし図１２で提案された機能、過程及び／または方法を具現する。無線インターフェスプロトコルの階層は、プロセッサにより具現化されることができる。メモリ１２２２は、プロセッサに接続されて、プロセッサを駆動するための多様な情報を格納する。ＲＦモジュール１９２３は、プロセッサに接続されて、無線信号を送信及び／または受信する。
【０５４４】
メモリ１２１２、１２２２は、プロセッサ１２１１、１２２１の内部または外部にあることができ、よく知られた多様な手段によりプロセッサ１２１１、１２２１に接続されることができる。
【０５４５】
また、基地局１２１０及び／または端末１２２０は、一個のアンテナ（ｓｉｎｇｌｅ  ａｎｔｅｎｎａ）または多重アンテナ（ｍｕｌｔｉｐｌｅ  ａｎｔｅｎｎａ）を有することができる。
【０５４６】
図１３は、本発明の一実施の形態による通信装置のブロック構成図を例示する。
【０５４７】
特に、図１３では、先の図１２の端末をさらに詳細に例示する図である。
【０５４８】
図１３を参照すると、端末は、プロセッサ（またはデジタル信号プロセッサ（ＤＳＰ：ｄｉｇｉｔａｌ  ｓｉｇｎａｌ  ｐｒｏｃｅｓｓｏｒ）１３１０、ＲＦモジュール（ＲＦ  ｍｏｄｕｌｅ）（またはＲＦユニット）１３３５、パワー管理モジュール（ｐｏｗｅｒ  ｍａｎａｇｅｍｅｎｔ  ｍｏｄｕｌｅ）１３０５、アンテナ（ａｎｔｅｎｎａ）１３４０、バッテリー（ｂａｔｔｅｒｙ）１３５５、ディスプレイ（ｄｉｓｐｌａｙ）１３１５、キーパッド（ｋｅｙｐａｄ）１３２０、メモリ（ｍｅｍｏｒｙ）１３３０、シムカード（ＳＩＭ（Ｓｕｂｓｃｒｉｂｅｒ  Ｉｄｅｎｔｉｆｉｃａｔｉｏｎ  Ｍｏｄｕｌｅ）ｃａｒｄ）１３２５（この構成は選択的である）、スピーカー（ｓｐｅａｋｅｒ）１３４５及びマイクロホン（ｍｉｃｒｏｐｈｏｎｅ）１３５０を含んで構成されることができる。端末は、また単一のアンテナまたは多重のアンテナを含むことができる。
【０５４９】
プロセッサ１３１０は、先の図９及び図１１で提案された機能、過程及び／または方法を具現する。無線インターフェスプロトコルの階層は、プロセッサにより具現化されることができる。
【０５５０】
メモリ１３３０は、プロセッサに接続され、プロセッサの動作と関連した情報を格納する。メモリ１３３０は、プロセッサの内部または外部にあることができ、よく知られた多様な手段によりプロセッサに接続されることができる。
【０５５１】
ユーザは、例えば、キーパッド１３２０のボタンを押さえるか（あるいはタッチ）またはマイクロホン１３５０を利用した音声駆動（ｖｏｉｃｅ  ａｃｔｉｖａｔｉｏｎ）により電話番号などのような命令情報を入力する。プロセッサは、このような命令情報を受信し、電話番号に電話をかける等、適切な機能を行うように処理する。駆動上のデータ（ｏｐｅｒａｔｉｏｎａｌ  ｄａｔａ）は、シムカード１３２５またはメモリ１３３０から抽出できる。また、プロセッサは、ユーザが認知し、また便宜のために命令情報または駆動情報をディスプレイ１３１５上にディスプレイできる。
【０５５２】
ＲＦモジュール１３３５は、プロセッサに接続されて、ＲＦ信号を送信及び／または受信する。プロセッサは、通信を開始するために、例えば、音声通信データを構成する無線信号を転送するように命令情報をＲＦモジュールに伝達する。ＲＦモジュールは、無線信号を受信及び転送するために、受信機（ｒｅｃｅｉｖｅｒ）及び送信機（ｔｒａｎｓｍｉｔｔｅｒ）から構成される。アンテナ１３４０は、無線信号を送信及び受信する機能を果たす。無線信号を受信する時、ＲＦモジュールは、プロセッサにより処理するために、信号を伝達し、基底帯域に信号を変換できる。処理された信号は、スピーカー１３４５を介して出力される可聴または可読情報に変換されることができる。
【０５５３】
図１４は、本明細書で提案する方法が適用されることができる無線通信装置のＲＦモジュールの一例を示した図である。
【０５５４】
具体的に、図１４は、ＦＤＤ（Ｆｒｅｑｕｅｎｃｙ  Ｄｉｖｉｓｉｏｎ  Ｄｕｐｌｅｘ）システムで具現されることができるＲＦモジュールの一例を示す。
【０５５５】
まず、転送経路において、図１３及び図１４で述べられたプロセッサは、転送されるデータをプロセシングしてアナログ出力信号を送信機１４１０に提供する。
【０５５６】
送信機１４１０内で、アナログ出力信号は、デジタル-対-アナログ変換（ＡＤＣ）により引き起こされるイメージを除去するために、低域通過フィルタ（Ｌｏｗ  Ｐａｓｓ  Ｆｉｌｔｅｒ、ＬＰＦ）１４１１によりフィルタリングされ、上向き変換器（Ｍｉｘｅｒ）１４１２によりベースバンドからＲＦに上向き変換され、可変利得増幅器（Ｖａｒｉａｂｌｅ  Ｇａｉｎ  Ａｍｐｌｉｆｉｅｒ、ＶＧＡ）１４１３により増幅され、増幅された信号は、フィルタ１４１４によりフィルタリングされて、電力増幅器（Ｐｏｗｅｒ  Ａｍｐｌｉｆｉｅｒ、ＰＡ）１４１５により追加に増幅され、送受切り替え器（ら）１４５０／アンテナスイッチ（ら）１４６０を介してルーチングされ、アンテナ１４７０を介して転送される。
【０５５７】
また、受信経路において、アンテナ１４７０は、外部から信号を受信して、受信された信号を提供し、この信号は、アンテナスイッチ（ら）１４６０／送受切り替え器１４５０を介してルーチングされ、受信機１４２０に提供される。
【０５５８】
受信機１４２０内で、受信された信号は、低雑音増幅器（Ｌｏｗ  Ｎｏｉｓｅ  Ａｍｐｌｉｆｉｅｒ、ＬＮＡ）１４２３により増幅され、帯域通過フィルタ１４２４によりフィルタリングされ、下向き変換器（Ｍｉｘｅｒ）１４２５によりＲＦからベースバンドへ下向き変換される。
【０５５９】
前記下向き変換された信号は、低域通過フィルタ（ＬＰＦ）１４２６によりフィルタリングされ、ＶＧＡ１４２７により増幅されてアナログ入力信号を獲得し、これは、図１２及び図１３で述べられたプロセッサに提供される。
【０５６０】
また、ローカルオシレ−タ（ｌｏｃａｌ  ｏｓｃｉｌｌａｔｏｒ、ＬＯ）発生器１４４０は、転送及び受信ＬＯ信号を発生及び上向き変換器１４１２及び下向き変換器１４２５に各々提供する。
【０５６１】
また、位相固定ループ（Ｐｈａｓｅ  Ｌｏｃｋｅｄ  Ｌｏｏｐ、ＰＬＬ）１４３０は、適切な周波数で転送及び受信ＬＯ信号を生成するために、プロセッサから制御情報を受信し、制御信号をＬＯ発生器１４４０に提供する。
【０５６２】
また、図１４に示す回路は、図１４に示す構成と異なるように配列されることもできる。
【０５６３】
図１５は、本明細書で提案する方法が適用されることができる無線通信装置のＲＦモジュールのさらに他の一例を示した図である
【０５６４】
具体的に、図１５は、ＴＤＤ（Ｔｉｍｅ  Ｄｉｖｉｓｉｏｎ  Ｄｕｐｌｅｘ）システムにおいて具現されることができるＲＦモジュールの一例を示す。
【０５６５】
ＴＤＤシステムでのＲＦモジュールの送信機１５１０及び受信機１５２０は、ＦＤＤシステムでのＲＦモジュールの送信機及び受信機の構造と同一である。
【０５６６】
以下、ＴＤＤシステムのＲＦモジュールは、ＦＤＤシステムのＲＦモジュールと差のある構造についてのみ述べることにし、同じ構造については、 図１４の説明を参照する。
【０５６７】
送信機の電力増幅器（Ｐｏｗｅｒ  Ａｍｐｌｉｆｉｅｒ、ＰＡ）１５１５により増幅された信号は、バンド選択スイッチ（Ｂａｎｄ  Ｓｅｌｅｃｔ  Ｓｗｉｔｃｈ）１５５０、バンド通過フィルタ（ＢＰＦ）１５６０及びアンテナスイッチ（ら）１５７０を介してルーチングされ、アンテナ１５８０を介して転送される。
【０５６８】
また、受信経路において、アンテナ１５８０は、外部から信号を受信して、受信された信号を提供し、この信号は、アンテナスイッチ（ら）１５７０、バンド通過フィルタ１５６０及びバンド選択スイッチ１５５０を介してルーチングされ、受信機１５２０に提供される。
【０５６９】
以上で説明された実施形態は本発明の構成要素と特徴が所定の形態に結合されたものである。各構成要素または特徴は別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取替できる。特許請求範囲で明示的な引用関係がない請求項を結合して実施形態を構成するか、または出願後の補正により新たな請求項に含めることができることは自明である。
【０５７０】
本発明に従う実施形態は、多様な手段、例えば、ハードウェア、ファームウエア（ｆｉｒｍｗａｒｅ）、ソフトウェア、またはそれらの結合などにより具現できる。ハードウェアによる具現の場合、本発明の一実施形態は１つまたはその以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラー、マイクロコントローラー、マイクロプロセッサなどにより具現できる。
【０５７１】
ファームウエアやソフトウェアによる具現の場合、本発明の一実施形態は以上で説明された機能または動作を遂行するモジュール、手続、関数などの形態に具現できる。ソフトウェアコードはメモリに格納されてプロセッサにより駆動できる。前記メモリは前記プロセッサの内部または外部に位置し、既に公知された多様な手段により前記プロセッサとデータをやり取りすることができる。
【０５７２】
本発明は本発明の必須的な特徴を逸脱しない範囲で他の特定の形態に具体化できることは通常の技術者に自明である。したがって、前述した詳細な説明は全ての面で制限的に解釈されてはならず、例示的なものとして考慮されなければならない。本発明の範囲は添付した請求項の合理的な解釈により決定されなければならず、本発明の等価的な範囲内での全ての変更は本発明の範囲に含まれる。
【産業上の利用可能性】
【０５７３】
本発明の無線通信システムにおける参照信号をマッピングする方案は、３ＧＰＰ  ＬＴＥ／ＬＴＥ-Ａシステム、５Ｇシステム（Ｎｅｗ  ＲＡＴシステム）に適用される例を中心に説明したが、この他にも多様な無線通信システムに適用することが可能である。
【図１】
2020150558.tif 000105
【図２】
2020150558.tif 000106
【図３】
2020150558.tif 000107
【図４】
2020150558.tif 000108
【図５】
2020150558.tif 000109
【図６】
2020150558.tif 000110
【図７】
2020150558.tif 000111
【図８】
2020150558.tif 000112
【図９】
2020150558.tif 000113
【図１０】
2020150558.tif 000114
【図１１】
2020150558.tif 000115
【図１２】
2020150558.tif 000116
【図１３】
2020150558.tif 000117
【図１４】
2020150558.tif 000118
【図１５】
2020150558.tif 000119
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
無線通信システムにおける端末がチャネル状態情報（ＣＳＩ）を報告する方法であって、
基地局から前記ＣＳＩと関連した構成情報を受信するステップと、
前記構成情報に基づいて前記ＣＳＩを測定するステップと、
前記ＣＳＩを前記基地局に報告するステップと、を含み、
前記ＣＳＩは、Ｔｙｐｅ  Ｉ  ＣＳＩまたはＴｙｐｅ  ＩＩ  ＣＳＩに区別され、
前記Ｔｙｐｅ  Ｉ  ＣＳＩ及び前記Ｔｙｐｅ  ＩＩ  ＣＳＩの各々は、第１パート及び第２パートから構成され、
前記Ｔｙｐｅ  Ｉ  ＣＳＩの前記第１パートは、ランク指示子（ＲＩ）、ＣＳＩ−参照信号（ＲＳ）資源指示子（ＣＲＩ）、第１コードワードに対する第１チャネル品質指示子（ＣＱＩ）を含み、
前記Ｔｙｐｅ  Ｉ  ＣＳＩの前記第２パートは、プリコーディング行列指示子（ＰＭＩ）及び第２コードワードに対する第２ＣＱＩを含み、
前記Ｔｙｐｅ  ＩＩ  ＣＳＩの前記第１パートは、前記ＲＩ、ＣＱＩ、及び０でない振幅係数の数を表す指示子を含み、
前記Ｔｙｐｅ  ＩＩ  ＣＳＩの前記第２パートは、ＰＭＩを含む、方法。
【請求項２】
前記第２パートのペイロードの大きさは、前記第１パートによって決定される、請求項１に記載の方法。
【請求項３】
前記ＰＭＩのｂｉｔｗｉｄｔｈは、前記ＲＩ及び前記０でない振幅係数の数を表す指示子に基づいて決定される、請求項２に記載の方法。
【請求項４】
前記ＣＳＩは、物理アップリンクデータチャネル（ＰＵＳＣＨ）上において転送され、
前記ＣＳＩの転送パワーは、前記第１パートのビット数が増加するにつれて増加される、請求項１に記載の方法。
【請求項５】
前記ＲＩ、前記ＣＱＩ及び前記指示子は、前記第１パート内で各々別のフィールドを有して同じコーディング率でエンコードされる、請求項１に記載の方法。
【請求項６】
前記指示子は、階層別に独立的に指示される、請求項１に記載の方法。
【請求項７】
前記０でない振幅係数の数を表す指示子のビット数は、以下の数式により階層別に設定され、Ｌは線形結合基盤のコードブックで線形結合される基底ベクトルの数を表す、請求項１に記載の方法。
2020150558.tif 000120
【請求項８】
前記第１パートは、前記第２パートよりさらに高いＣＳＩ優先順位を有し、
前記第１パート及び前記第２パートは、前記ＣＳＩ優先順位に応じて復調参照信号（ＤＭＲＳ）がマッピングされるシンボル以後のシンボルにマッピングされる、請求項１に記載の方法。
【請求項９】
前記第１パート及び前記第２パートは、前記ＤＭＲＳがマッピングされるシンボルのインデックスが増加する方向に順次にマッピングされる、請求項８に記載の方法。
【請求項１０】
前記第１パートがマッピングされるシンボルの数は、前記第１パートのビット数及び前記第２パートのビット数に基づいて決定される、請求項１に記載の方法。
【請求項１１】
前記第１パート及び前記第２パートは、各々別にエンコードされる、請求項１に記載の方法。
【請求項１２】
前記第１パートと前記第２パートは、互いに異なる転送パワーを介して転送され、前記第１パート及び／または前記第２パートの特定値は、繰り返し転送される、請求項１に記載の方法。
【請求項１３】
無線通信システムにおけるチャネル状態情報（ＣＳＩ）を報告する端末であって、
無線信号を送受信するための１つ以上の送受信機と、
前記１つ以上の送受信機を制御する１つ以上のプロセッサと、を含み、
前記１つ以上のプロセッサは、
基地局から前記ＣＳＩと関連した構成情報を受信し、
前記構成情報に基づいて前記ＣＳＩを測定し、
前記ＣＳＩを前記基地局に報告するように構成され、
前記ＣＳＩは、Ｔｙｐｅ  Ｉ  ＣＳＩまたはＴｙｐｅ  ＩＩ  ＣＳＩに区別され、
前記Ｔｙｐｅ  Ｉ  ＣＳＩ及び前記Ｔｙｐｅ  ＩＩ  ＣＳＩの各々は、第１パート及び第２パートから構成され、
前記Ｔｙｐｅ  Ｉ  ＣＳＩの前記第１パートは、ランク指示子（ＲＩ）、ＣＳＩ−参照信号（ＲＳ）資源指示子（ＣＲＩ）、第１コードワードに対する第１チャネル品質指示子（ＣＱＩ）を含み、
前記Ｔｙｐｅ  Ｉ  ＣＳＩの前記第２パートは、プリコーディング行列指示子（ＰＭＩ）及び第２コードワードに対する第２ＣＱＩを含み、
前記Ｔｙｐｅ  ＩＩ  ＣＳＩの前記第１パートは、前記ＲＩ、ＣＱＩ、及び０でない振幅係数の数を表す指示子を含み、
前記Ｔｙｐｅ  ＩＩ  ＣＳＩの前記第２パートは、ＰＭＩを含む、端末。
【請求項１４】
無線通信システムにおける基地局がチャネル状態情報（ＣＳＩ）を受信する方法であって、
前記ＣＳＩと関連した構成情報を端末に転送するステップと、
前記ＣＳＩを前記端末から受信するステップと、を含み、
前記ＣＳＩは、Ｔｙｐｅ  Ｉ  ＣＳＩまたはＴｙｐｅ  ＩＩ  ＣＳＩに区別され、
前記Ｔｙｐｅ  Ｉ  ＣＳＩ及び前記Ｔｙｐｅ  ＩＩ  ＣＳＩの各々は、第１パート及び第２パートから構成され、
前記Ｔｙｐｅ  Ｉ  ＣＳＩの前記第１パートは、ランク指示子（ＲＩ）、ＣＳＩ−参照信号（ＲＳ）資源指示子（ＣＲＩ）、第１コードワードに対する第１チャネル品質指示子（ＣＱＩ）を含み、
前記Ｔｙｐｅ  Ｉ  ＣＳＩの前記第２パートは、プリコーディング行列指示子（ＰＭＩ）及び第２コードワードに対する第２ＣＱＩを含み、
前記Ｔｙｐｅ  ＩＩ  ＣＳＩの前記第１パートは、前記ＲＩ、ＣＱＩ、及び０でない振幅係数の数を表す指示子を含み、
前記Ｔｙｐｅ  ＩＩ  ＣＳＩの前記第２パートは、ＰＭＩを含む、方法。
【請求項１５】
前記第２パートのペイロードの大きさは、前記第１パートによって決定される、請求項１４に記載の方法。
【請求項１６】
前記ＰＭＩのｂｉｔｗｉｄｔｈは、前記ＲＩ及び前記０でない振幅係数の数を表す指示子に基づいて決定される、請求項１５に記載の方法。
【請求項１７】
前記ＣＳＩは、物理アップリンクデータチャネル（ＰＵＳＣＨ）上において転送され、
前記ＣＳＩの転送パワーは、前記第１パートのビット数が増加するにつれて増加される、請求項１４に記載の方法。
【請求項１８】
前記ＲＩ、前記ＣＱＩ及び前記指示子は、前記第１パート内で各々別のフィールドを有して同じコーディング率でエンコードされる、請求項１４に記載の方法。
【請求項１９】
前記指示子は、階層別に独立的に指示される、請求項１４に記載の方法。
【請求項２０】
前記０でない振幅係数の数を表す指示子のビット数は、以下の数式により階層別に設定され、Ｌは線形結合基盤のコードブックで線形結合される基底ベクトルの数を表す、請求項１４に記載の方法。
2020150558.tif 000121
【請求項２１】
前記第１パートは、前記第２パートよりさらに高いＣＳＩ優先順位を有し、
前記第１パート及び前記第２パートは、前記ＣＳＩ優先順位に応じて復調参照信号（ＤＭＲＳ）がマッピングされるシンボル以後のシンボルにマッピングされる、請求項１４に記載の方法。
【請求項２２】
前記第１パート及び前記第２パートは、前記ＤＭＲＳがマッピングされるシンボルのインデックスが増加する方向に順次にマッピングされる、請求項２１に記載の方法。
【請求項２３】
前記第１パートがマッピングされるシンボルの数は、前記第１パートのビット数及び前記第２パートのビット数に基づいて決定される、請求項１４に記載の方法。
【請求項２４】
前記第１パート及び前記第２パートは、各々別にエンコードされる、請求項１４に記載の方法。
【請求項２５】
前記第１パートと前記第２パートは、互いに異なる転送パワーを介して転送され、前記第１パート及び／または前記第２パートの特定値は、繰り返し転送される、請求項１４に記載の方法。
【請求項２６】
無線通信システムにおけるチャネル状態情報（ＣＳＩ）を受信する基地局であって、
無線信号を送受信するための１つ以上の送受信機と、
前記１つ以上の送受信機を制御する１つ以上のプロセッサと、を含み、
前記１つ以上のプロセッサは、
前記ＣＳＩと関連した構成情報を端末に転送し、
前記ＣＳＩを前記端末から受信するように構成され、
前記ＣＳＩは、Ｔｙｐｅ  Ｉ  ＣＳＩまたはＴｙｐｅ  ＩＩ  ＣＳＩに区別され、
前記Ｔｙｐｅ  Ｉ  ＣＳＩ及び前記Ｔｙｐｅ  ＩＩ  ＣＳＩの各々は、第１パート及び第２パートから構成され、
前記Ｔｙｐｅ  Ｉ  ＣＳＩの前記第１パートは、ランク指示子（ＲＩ）、ＣＳＩ−参照信号（ＲＳ）資源指示子（ＣＲＩ）、第１コードワードに対する第１チャネル品質指示子（ＣＱＩ）を含み、
前記Ｔｙｐｅ  Ｉ  ＣＳＩの前記第２パートは、プリコーディング行列指示子（ＰＭＩ）及び第２コードワードに対する第２ＣＱＩを含み、
前記Ｔｙｐｅ  ＩＩ  ＣＳＩの前記第１パートは、前記ＲＩ、ＣＱＩ、及び０でない振幅係数の数を表す指示子を含み、
前記Ｔｙｐｅ  ＩＩ  ＣＳＩの前記第２パートは、ＰＭＩを含む、基地局。